(57)【要約】  ビーム障害回復のための方法、端末機器及びネットワーク側機器を提供しており、当該方法は、端末機器に設定されたＣＯＲＥＳＥＴ−ＢＦＲの設定情報が含まれている上位層シグナリングを受信することを含み、ＣＯＲＥＳＥＴ−ＢＦＲの設定情報は、ＣＯＲＥＳＥＴ−ＢＦＲが位置するセルのｃｅｌｌ  ｉｎｄｅｘと、ＣＯＲＥＳＥＴ−ＢＦＲが位置するＢＷＰのＢＷＰ  ｉｎｄｅｘとのうち、少なくとも１種を含む。
2021531691.tif 000002
【特許請求の範囲】
【請求項１】
端末機器に適用されるビーム障害回復のための方法であって、
前記端末機器に設定されたビーム障害回復のためのＣＯＲＥＳＥＴ−ＢＦＲ（Ｃｏｎｔｒｏｌ  Ｒｅｓｏｕｒｃｅ  Ｓｅｔ  Ｂｅａｍ  Ｆａｉｌｕｒｅ  Ｒｅｃｏｖｅｒｙ）の設定情報が含まれている上位層シグナリングを受信することを含み、
前記ＣＯＲＥＳＥＴ−ＢＦＲの設定情報は、
前記ＣＯＲＥＳＥＴ−ＢＦＲが位置するセルのセル識別子ｃｅｌｌ  ｉｎｄｅｘと、前記ＣＯＲＥＳＥＴ−ＢＦＲが位置するＢＷＰ（Ｂａｎｄｗｉｄｔｈ  ｐａｒｔ）のＢＷＰ識別子ＢＷＰ  ｉｎｄｅｘとのうち、少なくとも１種を含む、ビーム障害回復のための方法。
【請求項２】
前記端末機器が、第一セル又は第一ＢＷＰにビーム障害イベントが発生したのを決定すると、ＢＦＲＱ（Ｂｅａｍ  Ｆａｉｌｕｒｅ  Ｒｅｃｏｖｅｒｙ  Ｒｅｑｕｅｓｔ）を送信することと、
前記ｃｅｌｌ  ｉｎｄｅｘに対応する第二セル、又は、前記ＢＷＰ  ｉｎｄｅｘに対応する第二ＢＷＰに切り替えることであって、前記第一セルと前記第二セルとは、異なるセルであり、前記第一ＢＷＰと前記第二ＢＷＰとは、異なるＢＷＰである、切り替えることと、
前記ＣＯＲＥＳＥＴ−ＢＦＲのＱＣＬ（Ｑｕａｓｉ−ｃｏｌｏｃａｔｉｏｎ）情報を決定することと、
前記第二セル又は前記第二ＢＷＰにおいて、前記ＣＯＲＥＳＥＴ−ＢＦＲのＱＣＬ情報に基づいて、ビーム障害回復要求応答情報を受信することとを更に含む、請求項１に記載の方法。
【請求項３】
前記端末機器が、第一セル又は第一ＢＷＰにビーム障害イベントが発生したのを決定すると、ＢＦＲＱを送信することは、
ビーム障害回復のためのターゲットビーム基準信号を決定することと、
前記ターゲットビーム基準信号に対応するターゲットチャネルリソースを用いて、前記ＢＦＲＱを送信することとを含む、請求項２に記載の方法。
【請求項４】
前記端末機器が、第一セル又は第一ＢＷＰにビーム障害イベントが発生したのを決定すると、ＢＦＲＱを送信することは、
ビーム障害回復のためのターゲットビーム基準信号を決定することと、
予め設定されたターゲットチャネルリソースを用いて、前記ＢＦＲＱを送信することであって、前記ＢＦＲＱには、前記ターゲットビーム基準信号の識別子情報が含まれている、送信することとを含む、請求項２に記載の方法。
【請求項５】
前記ターゲットチャネルリソースは、セミパーシステントＰＵＳＣＨ（Ｐｈｙｓｉｃａｌ  Ｕｐｌｉｎｋ  Ｓｈａｒｅｄ  Ｃｈａｎｎｅｌ）である、請求項３又は４に記載の方法。
【請求項６】
前記ターゲットチャネルリソースは、セミパーシステントＰＵＳＣＨと、ＰＲＡＣＨ（Ｐｈｙｓｉｃａｌ  Ｒａｎｄｏｍ  Ａｃｃｅｓｓ  Ｃｈａｎｎｅｌ）と、ＰＵＣＣＨ（Ｐｈｙｓｉｃａｌ  Ｕｐｌｉｎｋ  Ｃｏｎｔｒｏｌ  Ｃｈａｎｎｅｌ）とのうち、少なくとも２種を含み、
前記ＢＦＲＱを送信する方式は、
少なくとも２種のターゲットチャネルリソースのうち、送信優先度が第一プリセット条件を満たすターゲットチャネルリソースを用いて、前記ＢＦＲＱを送信する方式と、
前記少なくとも２種のターゲットチャネルリソースのうち、送信時刻が第二プリセット条件を満たすターゲットチャネルリソースを用いて、前記ＢＦＲＱを送信する方式と、
前記少なくとも２種のターゲットチャネルリソースのうち、ペイロードサイズが第三プリセット条件を満たすターゲットチャネルリソースを用いて、前記ＢＦＲＱを送信する方式と、
前記少なくとも２種のターゲットチャネルリソースの各々を用いて、前記ＢＦＲＱをそれぞれ送信する方式とのうち、少なくとも１つを含む、請求項３又は４に記載の方法。
【請求項７】
前記ＣＯＲＥＳＥＴ−ＢＦＲの設定情報は、前記ＣＯＲＥＳＥＴ−ＢＦＲの伝送設定指示状態ＴＣＩ  ｓｔａｔｅ（Ｔｒａｎｓｍｉｓｓｉｏｎ  Ｃｏｎｆｉｇｕｒａｔｉｏｎ  Ｉｎｄｉｃａｔｉｏｎ  ｓｔａｔｅ）を更に含む、請求項２に記載の方法。
【請求項８】
前記ＣＯＲＥＳＥＴ−ＢＦＲのＱＣＬ情報を決定することは、
前記ＣＯＲＥＳＥＴ−ＢＦＲのＴＣＩ  ｓｔａｔｅに基づいて、前記ＣＯＲＥＳＥＴ−ＢＦＲのＱＣＬ情報を決定することを含む、請求項７に記載の方法。
【請求項９】
前記ＣＯＲＥＳＥＴ−ＢＦＲのＱＣＬ情報を決定することは、
前記ターゲットビーム基準信号のＱＣＬ情報を前記ＣＯＲＥＳＥＴ−ＢＦＲのＱＣＬ情報として決定することを含む、請求項３又は４に記載の方法。
【請求項１０】
前記第二セル又は前記第二ＢＷＰにおいて、前記ＣＯＲＥＳＥＴ−ＢＦＲのＱＣＬ情報に基づいて、ビーム障害回復要求応答情報を受信することは、
前記第二セル又は前記第二ＢＷＰにおいて、前記ＣＯＲＥＳＥＴ−ＢＦＲのＱＣＬ情報に基づいて、ターゲット時間ウィンドウ内で、前記ＣＯＲＥＳＥＴ−ＢＦＲにおける専用のＰＤＣＣＨに付帯されている前記ビーム障害回復要求応答情報を受信することを含む、請求項２に記載の方法。
【請求項１１】
前記ターゲット時間ウィンドウ外で、ビーム障害イベントが発生した前記第一セル又は前記第一ＢＷＰに切り替えることと、
前記第一セルに設定されたＣＯＲＥＳＥＴを監視するか、或いは、前記第一ＢＷＰに設定されたＣＯＲＥＳＥＴを監視することとを更に含む、請求項１０に記載の方法。
【請求項１２】
前記上位層シグナリングは、
ＲＲＣ（Ｒａｄｉｏ  Ｒｅｓｏｕｒｃｅ  Ｃｏｎｔｒｏｌ）シグナリングと、ＭＡＣ  ＣＥ（Ｍｅｄｉｕｍ  Ａｃｃｅｓｓ  Ｃｏｎｔｒｏｌ  Ｃｏｎｔｒｏｌ  Ｅｌｅｍｅｎｔ）シグナリングとのうち、少なくとも１種を含む、請求項１に記載の方法。
【請求項１３】
ネットワーク側機器に適用されるビーム障害回復のための方法であって、
端末機器に設定されたＣＯＲＥＳＥＴ−ＢＦＲの設定情報が含まれている上位層シグナリングを送信することを含み、
前記ＣＯＲＥＳＥＴ−ＢＦＲの設定情報は、
前記ＣＯＲＥＳＥＴ−ＢＦＲが位置するセルのｃｅｌｌ  ｉｎｄｅｘと、前記ＣＯＲＥＳＥＴ−ＢＦＲが位置するＢＷＰのＢＷＰ  ｉｎｄｅｘとのうち、少なくとも１種を含む、ビーム障害回復のための方法。
【請求項１４】
前記端末機器から送信されたＢＦＲＱを受信することと、
前記ＣＯＲＥＳＥＴ−ＢＦＲのＱＣＬ情報を決定することと、
前記ｃｅｌｌ  ｉｎｄｅｘに対応する第二セル、又は、前記ＢＷＰ  ｉｎｄｅｘに対応する第二ＢＷＰにおいて、前記ＣＯＲＥＳＥＴ−ＢＦＲのＱＣＬ情報に基づいて、ビーム障害回復要求応答情報を送信することとを更に含む、請求項１３に記載の方法。
【請求項１５】
前記端末機器から送信されたＢＦＲＱを受信することは、
ターゲットビーム基準信号に対応するチャネルリソースであるターゲットチャネルリソースを用いて、前記ＢＦＲＱを受信することを含む、請求項１４に記載の方法。
【請求項１６】
前記端末機器から送信されたＢＦＲＱを受信することは、
予め設定されたターゲットチャネルリソースを用いて、前記ＢＦＲＱを受信することであって、前記ＢＦＲＱには、ターゲットビーム基準信号の識別子情報が含まれている、受信することを含む、請求項１４に記載の方法。
【請求項１７】
前記ターゲットチャネルリソースは、セミパーシステントＰＵＳＣＨである、請求項１５又は１６に記載の方法。
【請求項１８】
前記ターゲットチャネルリソースは、セミパーシステントＰＵＳＣＨと、ＰＲＡＣＨと、ＰＵＣＣＨとのうち、少なくとも２種を含み、
前記ＢＦＲＱを受信する方式は、
少なくとも２種のターゲットチャネルリソースのうち、受信優先度が第一プリセット条件を満たすターゲットチャネルリソースを用いて、前記ＢＦＲＱを受信する方式と、
前記少なくとも２種のターゲットチャネルリソースのうち、受信時刻が第二プリセット条件を満たすターゲットチャネルリソースを用いて、前記ＢＦＲＱを受信する方式と、
前記少なくとも２種のターゲットチャネルリソースのうち、ペイロードサイズが第三プリセット条件を満たすターゲットチャネルリソースを用いて、前記ＢＦＲＱを受信する方式と、
前記少なくとも２種のターゲットチャネルリソースの各々を用いて、前記ＢＦＲＱをそれぞれ受信する方式とのうち、少なくとも１種を含む、請求項１５又は１６に記載の方法。
【請求項１９】
前記ＣＯＲＥＳＥＴ−ＢＦＲの設定情報は、前記ＣＯＲＥＳＥＴ−ＢＦＲのＴＣＩ  ｓｔａｔｅを更に含む、請求項１４に記載の方法。
【請求項２０】
前記ＣＯＲＥＳＥＴ−ＢＦＲのＱＣＬ情報を決定することは、
前記ＣＯＲＥＳＥＴ−ＢＦＲのＴＣＩ  ｓｔａｔｅに基づいて、前記ＣＯＲＥＳＥＴ−ＢＦＲのＱＣＬ情報を決定することを含む、請求項１９に記載の方法。
【請求項２１】
前記ＣＯＲＥＳＥＴ−ＢＦＲのＱＣＬ情報を決定することは、
前記ターゲットビーム基準信号のＱＣＬ情報を前記ＣＯＲＥＳＥＴ−ＢＦＲのＱＣＬ情報として決定することを含む、請求項１５又は１６に記載の方法。
【請求項２２】
前記ｃｅｌｌ  ｉｎｄｅｘに対応する第二セル、又は、前記ＢＷＰ  ｉｎｄｅｘに対応する第二ＢＷＰにおいて、前記ＣＯＲＥＳＥＴ−ＢＦＲのＱＣＬ情報に基づいて、ビーム障害回復要求応答情報を送信することは、
前記第二セル又は前記第二ＢＷＰにおいて、前記ＣＯＲＥＳＥＴ−ＢＦＲのＱＣＬ情報に基づいて、ターゲット時間ウィンドウ内で、前記ＣＯＲＥＳＥＴ−ＢＦＲにおける専用のＰＤＣＣＨを用いて、前記ビーム障害回復要求応答情報を送信することを含む、請求項１４に記載の方法。
【請求項２３】
前記上位層シグナリングは、
ＲＲＣシグナリングと、ＭＡＣ  ＣＥシグナリングとのうち、少なくとも１種を含む、請求項１３に記載の方法。
【請求項２４】
端末機器であって、
前記端末機器に設定されたＣＯＲＥＳＥＴ−ＢＦＲの設定情報が含まれている上位層シグナリングを受信するための受信モジュールを含み、
前記ＣＯＲＥＳＥＴ−ＢＦＲの設定情報は、
前記ＣＯＲＥＳＥＴ−ＢＦＲが位置するセルのｃｅｌｌ  ｉｎｄｅｘと、前記ＣＯＲＥＳＥＴ−ＢＦＲが位置するＢＷＰのＢＷＰ  ｉｎｄｅｘとのうち、少なくとも１種を含む、端末機器。
【請求項２５】
メモリと、プロセッサと、前記メモリに記憶されて前記プロセッサ上で実行可能なコンピュータプログラムとを含み、前記コンピュータプログラムが前記プロセッサによって実行されると、請求項１〜１２の何れか一項に記載のビーム障害回復のための方法が実現される、端末機器。
【請求項２６】
コンピュータプログラムを記憶したコンピュータ読取可能な記憶媒体であって、前記コンピュータプログラムがプロセッサによって実行されると、請求項１〜１２の何れか一項に記載のビーム障害回復のための方法が実現される、コンピュータ読取可能な記憶媒体。
【請求項２７】
端末機器に設定されたＣＯＲＥＳＥＴ−ＢＦＲの設定情報が含まれている上位層シグナリングを送信するための送信モジュールを含み、
前記ＣＯＲＥＳＥＴ−ＢＦＲの設定情報は、
前記ＣＯＲＥＳＥＴ−ＢＦＲが位置するセルのｃｅｌｌ  ｉｎｄｅｘと、前記ＣＯＲＥＳＥＴ−ＢＦＲが位置するＢＷＰのＢＷＰ  ｉｎｄｅｘとのうち、少なくとも１種を含む、ネットワーク側機器。
【請求項２８】
メモリと、プロセッサと、前記メモリに記憶されて前記プロセッサ上で実行可能なコンピュータプログラムとを含み、前記コンピュータプログラムが前記プロセッサによって実行されると、請求項１３〜２３の何れか一項に記載のビーム障害回復のための方法が実現される、端末機器。
【請求項２９】
コンピュータプログラムを記憶したコンピュータ読取可能な記憶媒体であって、前記コンピュータプログラムがプロセッサによって実行されると、請求項１３〜２３の何れか一項に記載のビーム障害回復のための方法が実現される、コンピュータ読取可能な記憶媒体。
【発明の詳細な説明】
【技術分野】
【０００１】
関連出願の相互参照
本願は、２０１８年７月１８日に中国で出願された中国特許出願第２０１８１０７８９６８９．９号の優先権を主張し、その内容の全ては、参照により本願に組み込まれる。
本開示は、通信分野に関し、特に、ビーム障害回復のための方法、端末機器及びネットワーク側機器に関する。
【背景技術】
【０００２】
第五代（５Ｇ）移動通信システムのＮＲ（Ｎｅｗ  Ｒａｄｉｏ）は、大規模なアンテナ技術を取り込んでおり、ＭＵ−ＭＩＭＯ（Ｍｕｌｔｉ−Ｕｓｅｒ  Ｍｕｌｔｉｐｌｅ−Ｉｎｐｕｔ  Ｍｕｌｔｉｐｌｅ−Ｏｕｔｐｕｔ）アンテナ技術をより好適にサポートできる。大規模なアンテナアレイによる機器コスト及びベース帯域処理の複雑さを低減するためには、デジタルアナログハイブリッドビームフォーミング技術を介して、送信信号とチャネルとの大まかなマッチングを図っている。
【０００３】
しかし、デジタルアナログハイブリッドビームフォーミング技術に基づくマルチキャリアシステムにおいて、関連技術には、ビーム障害回復のための制御リソースセット（Ｃｏｎｔｒｏｌ  Ｒｅｓｏｕｒｃｅ  Ｓｅｔ  Ｂｅａｍ  Ｆａｉｌｕｒｅ  Ｒｅｃｏｖｅｒｙ、ＣＯＲＥＳＥＴ−ＢＦＲ）を柔軟に設定可能な解決案が未だに欠いている。
【発明の概要】
【発明が解決しようとする課題】
【０００４】
本開示の実施例の目的は、マルチキャリアシステムにおいてＣＯＲＥＳＥＴ−ＢＦＲを柔軟に設定できないという課題を解決するためのビーム障害回復のための方法、端末機器及びネットワーク側機器を提供することにある。
【課題を解決するための手段】
【０００５】
第一局面において、本開示の実施例は、端末機器に適用されるビーム障害回復のための方法であって、
前記端末機器に設定されたＣＯＲＥＳＥＴ−ＢＦＲの設定情報が含まれている上位層シグナリングを受信することを含み、
前記ＣＯＲＥＳＥＴ−ＢＦＲの設定情報は、
前記ＣＯＲＥＳＥＴ−ＢＦＲが位置するセルのｃｅｌｌ  ｉｎｄｅｘと、前記ＣＯＲＥＳＥＴ−ＢＦＲが位置するＢＷＰのＢＷＰ  ｉｎｄｅｘとのうち、少なくとも１種を含む、ビーム障害回復のための方法を提供している。
【０００６】
第二局面において、本開示の実施例は、ネットワーク側機器に適用されるビーム障害回復のための方法であって、
端末機器に設定されたＣＯＲＥＳＥＴ−ＢＦＲの設定情報が含まれている上位層シグナリングを送信することを含み、
前記ＣＯＲＥＳＥＴ−ＢＦＲの設定情報は、
前記ＣＯＲＥＳＥＴ−ＢＦＲが位置するセルのｃｅｌｌ  ｉｎｄｅｘと、前記ＣＯＲＥＳＥＴ−ＢＦＲが位置するＢＷＰのＢＷＰ  ｉｎｄｅｘとのうち、少なくとも１種を含む、ビーム障害回復のための方法を更に提供している。
【０００７】
第三局面において、本開示の実施例は、端末機器であって、
前記端末機器に設定されたＣＯＲＥＳＥＴ−ＢＦＲの設定情報が含まれている上位層シグナリングを受信するための受信モジュールを含み、
前記ＣＯＲＥＳＥＴ−ＢＦＲの設定情報は、
前記ＣＯＲＥＳＥＴ−ＢＦＲが位置するセルのｃｅｌｌ  ｉｎｄｅｘと、前記ＣＯＲＥＳＥＴ−ＢＦＲが位置するＢＷＰのＢＷＰ  ｉｎｄｅｘとのうち、少なくとも１種を含む、端末機器を更に提供している。
【０００８】
第四局面において、本開示の実施例は、プロセッサと、メモリと、前記メモリに記憶されて前記プロセッサ上で実行可能なコンピュータプログラムとを含み、前記コンピュータプログラムが前記プロセッサによって実行されると、第一局面に記載のビーム障害回復のための方法が実現される、端末機器を更に提供している。
【０００９】
第五局面において、本開示の実施例は、コンピュータプログラムを記憶したコンピュータ読取可能な記憶媒体であって、前記コンピュータプログラムがプロセッサによって実行されると、第一局面に記載のビーム障害回復のための方法が実現される、コンピュータ読取可能な記憶媒体を更に提供している。
【００１０】
第六局面において、本開示の実施例は、
端末機器に設定されたＣＯＲＥＳＥＴ−ＢＦＲの設定情報が含まれている上位層シグナリングを送信するための送信モジュールを含み、
前記ＣＯＲＥＳＥＴ−ＢＦＲの設定情報は、
前記ＣＯＲＥＳＥＴ−ＢＦＲが位置するセルのｃｅｌｌ  ｉｎｄｅｘと、前記ＣＯＲＥＳＥＴ−ＢＦＲが位置するＢＷＰのＢＷＰ  ｉｎｄｅｘとのうち、少なくとも１種を含む、ネットワーク側機器を更に提供している。
【００１１】
第七局面において、本開示の実施例は、プロセッサと、メモリと、前記メモリに記憶されて前記プロセッサ上で実行可能なコンピュータプログラムとを含み、前記コンピュータプログラムが前記プロセッサによって実行されると、第二局面に記載のビーム障害回復のための方法が実現される、端末機器を更に提供している。
【００１２】
第八局面において、本開示の実施例は、コンピュータプログラムを記憶したコンピュータ読取可能な記憶媒体であって、前記コンピュータプログラムがプロセッサによって実行されると、第二局面に記載のビーム障害回復のための方法が実現される、コンピュータ読取可能な記憶媒体を更に提供している。
【発明の効果】
【００１３】
本開示の実施例において、ＣＯＲＥＳＥＴ−ＢＦＲの設定情報内に、ＣＯＲＥＳＥＴ−ＢＦＲが位置するセルのｃｅｌｌ  ｉｎｄｅｘ、及び／又は、ＣＯＲＥＳＥＴ−ＢＦＲが位置するＢＷＰのＢＷＰ  ｉｎｄｅｘを追加することにより、マルチキャリアシステムでは、上位層シグナリングを介してＣＯＲＥＳＥＴ−ＢＦＲを柔軟に設定することを効果的に実現できる。
【図面の簡単な説明】
【００１４】
ここで説明される図面は、本開示のさらなる理解を提供するためのものであり、本開示の一部を構成し、本開示の例示的な実施例及びその説明は、本開示を解釈するためのものであり、本開示に対する不適切な制限を構成しない。
【図１】本開示の実施例によるネットワークアーキテクチャ模式図である。
【図２】本開示の実施例によるビーム障害回復のための方法のフロー模式図である。
【図３】本開示の実施例によるビーム障害回復のための方法の他のフロー模式図である。
【図４】本開示の実施例による端末機器の構造模式図である。
【図５】本開示の実施例によるネットワーク側機器の構造模式図である。
【図６】本開示の実施例による端末機器の他の構造模式図である。
【図７】本開示の実施例によるネットワーク側機器の他の構造模式図である。
【発明を実施するための形態】
【００１５】
以下、本開示の実施例内の図面を参照しながら、本開示の実施例の技術案を明確且つ完全に説明するが、明らかなことに、説明される実施例は本開示の一部の実施例であり、すべての実施例ではない。本開示内の実施例に基づいて、当業者によって創造的な労働を払わずに得られた他の実施例は、全て本開示の保護範囲に含まれるものとする。なお、当業者であれば、「及び／又は」とは、接続対象のうち、少なくとも１つを表していることを理解できる。
【００１６】
図１を参照して、図１は、本開示の実施例によるネットワークアーキテクチャ模式図である。図１に示すように、ユーザ端末１１及び基地局１２が含まれており、ユーザ端末１１は、ＵＥ（Ｕｓｅｒ  Ｅｑｕｉｐｍｅｎｔ）、例えば携帯電話、タブレットＰＣ（Ｔａｂｌｅｔ  Ｐｅｒｓｏｎａｌ  Ｃｏｍｐｕｔｅｒ）、ラップトップコンピュータ（Ｌａｐｔｏｐ  Ｃｏｍｐｕｔｅｒ）、ＰＤＡ（ｐｅｒｓｏｎａｌ  ｄｉｇｉｔａｌ  ａｓｓｉｓｔａｎｔ）、ＭＩＤ（Ｍｏｂｉｌｅ  Ｉｎｔｅｒｎｅｔ  Ｄｅｖｉｃｅ）又はウェアラブルデバイス（Ｗｅａｒａｂｌｅ  Ｄｅｖｉｃｅ）等の端末側機器であってもよいが、本開示の実施例において、ユーザ端末１１の具体的なタイプが限定されないことを留意されたい。上記基地局１２は、５Ｇ及びそれ以降のバージョンの基地局（例えば、ｇＮＢ、５Ｇ  ＮＲ  ＮＢ）、又は、他の通信システム内の基地局であってもよいし、或いは、ノードＢと呼ばれてもよいが、本開示の実施例において、５Ｇ基地局だけを例としており、基地局１２の具体的なタイプは限定されないことを留意されたい。
【００１７】
なお、上記ユーザ端末１１及び基地局１２の具体的な機能は、以下の複数の実施例によって詳しく説明される。
【００１８】
図２は、本開示の実施例によるビーム障害回復のための方法のフロー模式図である。前記方法は、端末機器に適用されるもので、次の通りであってもよい。
【００１９】
ステップ２１０として、端末機器に設定されたＣＯＲＥＳＥＴ−ＢＦＲの設定情報が含まれている上位層シグナリングを受信し、ＣＯＲＥＳＥＴ−ＢＦＲの設定情報は、ＣＯＲＥＳＥＴ−ＢＦＲが位置するセルのｃｅｌｌ  ｉｎｄｅｘと、ＣＯＲＥＳＥＴ−ＢＦＲが位置するＢＷＰ（Ｂａｎｄｗｉｄｔｈ  Ｐａｒｔ）のＢＷＰ  ｉｎｄｅｘとのうち、少なくとも１種を含む。
【００２０】
そのうち、上位層シグナリングは、ＲＲＣ（Ｒａｄｉｏ  Ｒｅｓｏｕｒｃｅ  Ｃｏｎｔｒｏｌ）シグナリングと、ＭＡＣ  ＣＥ（Ｍｅｄｉｕｍ  Ａｃｃｅｓｓ  Ｃｏｎｔｒｏｌ  Ｃｏｎｔｒｏｌ  Ｅｌｅｍｅｎｔ）シグナリングとのうち、少なくとも１種を含む。
【００２１】
ネットワーク側機器は、端末機器に設定されたＣＯＲＥＳＥＴ−ＢＦＲの設定情報内に、当該ＣＯＲＥＳＥＴ−ＢＦＲが位置するセルのｃｅｌｌ  ｉｎｄｅｘ、及び／又は、当該ＣＯＲＥＳＥＴ−ＢＦＲが位置するＢＷＰのＢＷＰ  ｉｎｄｅｘを追加し、更に、上位層シグナリングを介して、端末機器に当該ＣＯＲＥＳＥＴ−ＢＦＲの設定情報を送信することで、端末機器にＣＯＲＥＳＥＴ−ＢＦＲを柔軟に設定することを実現する。
【００２２】
そのうち、端末機器が現在位置するセル又はＢＷＰは、端末機器にネットワーク側機器によって設定されたＣＯＲＥＳＥＴ−ＢＦＲが位置するセル又はＢＷＰとは、同じであり得るし、異なり得るが、ここで、具体的に限定しない。
【００２３】
一実施例では、端末機器が現在位置するセルは、第一セルであり、ネットワーク側機器は、第一セルにおいて、上位層シグナリングを介して、端末機器にＣＯＲＥＳＥＴ−ＢＦＲの設定情報を設定し、当該ＣＯＲＥＳＥＴ−ＢＦＲの設定情報には、ＣＯＲＥＳＥＴ−ＢＦＲが位置するセルのｃｅｌｌ  ｉｎｄｅｘが含まれ、当該ｃｅｌｌ  ｉｎｄｅｘは、当該ＣＯＲＥＳＥＴ−ＢＦＲが位置するセルが第二セルであることを指示している。
【００２４】
別の一実施例では、端末機器が現在位置するＢＷＰは、第一ＢＷＰであり、ネットワーク側機器は、第一ＢＷＰにおいて、上位層シグナリングを介して、端末機器にＣＯＲＥＳＥＴ−ＢＦＲの設定情報を設定し、当該ＣＯＲＥＳＥＴ−ＢＦＲの設定情報には、ＣＯＲＥＳＥＴ−ＢＦＲが位置するＢＷＰのＢＷＰ  ｉｎｄｅｘが含まれ、当該ＢＷＰ  ｉｎｄｅｘは、当該ＣＯＲＥＳＥＴ−ＢＦＲが位置するＢＷＰが第二ＢＷＰであることを指示している。
【００２５】
本開示の実施例では、
端末機器が、第一セル又は第一ＢＷＰにビーム障害イベント（Ｂｅａｍ  Ｆａｉｌｕｒｅ  Ｅｖｅｎｔ）が発生したのを決定すると、ＢＦＲＱ（Ｂｅａｍ  Ｆａｉｌｕｒｅ  Ｒｅｃｏｖｅｒｙ  Ｒｅｑｕｅｓｔ）を送信することと、
ｃｅｌｌ  ｉｎｄｅｘに対応する第二セル、又は、ＢＷＰ  ｉｎｄｅｘに対応する第二ＢＷＰに切り替えることであって、第一セルと第二セルとは、異なるセルであり、第一ＢＷＰと第二ＢＷＰとは、異なるＢＷＰである、切り替えることと、
ＣＯＲＥＳＥＴ−ＢＦＲのＱＣＬ（Ｑｕａｓｉ−ｃｏｌｏｃａｔｉｏｎ）情報を決定することと、
第二セル又は第二ＢＷＰにおいて、ＣＯＲＥＳＥＴ−ＢＦＲのＱＣＬ情報に基づいて、ビーム障害回復要求応答情報（Ｒｅｓｐｏｎｓｅ）を受信することとを更に含む。
【００２６】
実際の応用において、ネットワーク側機器は、端末機器にＣＯＲＥＳＥＴ−ＢＦＲを設定することに加え、端末機器にＢＦＤ  ＲＳ（Ｂｅａｍ  Ｆａｉｌｕｒｅ  Ｄｅｔｅｃｔｉｏｎ  Ｒｅｆｅｒｅｎｃｅ  Ｓｉｇｎａｌ）を設定し、端末機器は、ＢＦＤ  ＲＳに基づいてビーム障害検出を行うようにする。
【００２７】
端末機器は、物理レイヤでＢＦＤ  ＲＳを測定し、測定結果に基づいて、ビーム障害イベントが発生したかどうかを判断する。測定結果に基づいて、端末機器が位置する第一セル又は第一ＢＷＰにビーム障害イベントが発生したのを決定すると、端末機器は、ネットワーク側機器にＢＦＲＱを送信する。
【００２８】
端末機器がネットワーク側機器にＢＦＲＱを送信する方式は、下記の少なくとも２種を含んでもよい。
【００２９】
第一種：
本開示の実施例において、端末機器が、第一セル又は第一ＢＷＰにビーム障害イベントが発生したのを決定すると、ＢＦＲＱを送信することは、
ビーム障害回復のためのターゲットビーム基準信号を決定することと、
ターゲットビーム基準信号に対応するターゲットチャネルリソースを用いて、ＢＦＲＱを送信することとを含む。
【００３０】
実際の応用において、ネットワーク側機器は、端末機器にＣＯＲＥＳＥＴ−ＢＦＲ、ＢＦＤ  ＲＳを設定することに加え、端末機器に候補ビーム基準信号（Ｃａｎｄｉｄａｔｅ  Ｂｅａｍ  Ｒｅｆｅｒｅｎｃｅ  Ｓｉｇｎａｌ）を設定し、端末機器は、ビーム障害イベントの発生を決定した後、ビーム障害回復のためのターゲットビーム基準信号として候補ビーム基準信号の中から１つを選択することが可能である。
【００３１】
そのうち、候補ビーム基準信号は、ＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）であってもよいし、ＳＳＢ（Ｓｙｎｃｈｒｏｎｉｚａｔｉｏｎ  Ｓｉｇｎａｌ  Ｂｌｏｃｋ）であってもよく、更に他の基準信号であってもよいが、ここで、具体的に限定しない。
【００３２】
ネットワーク側機器は、候補ビーム基準信号のために、対応するターゲットチャネルリソースを設定している。
【００３３】
端末機器は、第一セル又は第一ＢＷＰにビーム障害イベントが発生したのを決定して、物理レイヤで候補ビーム基準信号を測定し、並びに、測定結果によって、候補ビーム基準信号の中からビーム障害回復のためのターゲットビーム基準信号を決定した後、当該ターゲットビーム基準信号に対応するターゲットチャネルリソースを用いて、ネットワーク側機器にＢＦＲＱを送信する。
【００３４】
第二種：
本開示の実施例において、端末機器が、第一セル又は第一ＢＷＰにビーム障害イベントが発生したのを決定すると、ＢＦＲＱを送信することは、
ビーム障害回復のためのターゲットビーム基準信号を決定することと、
予め設定されたターゲットチャネルリソースを用いて、ＢＦＲＱを送信することであって、ＢＦＲＱには、ターゲットビーム基準信号の識別子情報が含まれている、送信することとを含む。
【００３５】
ネットワーク側機器は、端末機器に、ＢＦＲＱを送信するためのターゲットチャネルリソースを予め設定した。
【００３６】
端末機器は、第一セル又は第一ＢＷＰにビーム障害イベントが発生したのを決定して、物理レイヤで候補ビーム基準信号を測定し、並びに、測定結果によって、候補ビーム基準信号の中からビーム障害回復のためのターゲットビーム基準信号を決定した後、予め設定されたターゲットチャネルリソースを用いて、ネットワーク側機器にＢＦＲＱを送信し、当該ＢＦＲＱには、ターゲットビーム基準信号の識別子情報が付帯されている。
【００３７】
本開示の実施例において、ターゲットチャネルリソースは、セミパーシステントＰＵＳＣＨ（Ｐｈｙｓｉｃａｌ  Ｕｐｌｉｎｋ  Ｓｈａｒｅｄ  Ｃｈａｎｎｅｌ）である。
【００３８】
例えば、端末機器は、ターゲットビーム基準信号に対応するセミパーシステントＰＵＳＣＨを用いて、ネットワーク側機器にＢＦＲＱを送信するか、或いは、端末機器は、予め設定されたセミパーシステントＰＵＳＣＨを用いて、ネットワーク側機器にＢＦＲＱを送信し、ＢＦＲＱには、ターゲットビーム基準信号の識別子情報が含まれている。
【００３９】
本開示の実施例において、ターゲットチャネルリソースは、セミパーシステントＰＵＳＣＨと、ＰＲＡＣＨ（Ｐｈｙｓｉｃａｌ  Ｒａｎｄｏｍ  Ａｃｃｅｓｓ  Ｃｈａｎｎｅｌ）と、ＰＵＣＣＨ（Ｐｈｙｓｉｃａｌ  Ｕｐｌｉｎｋ  Ｃｏｎｔｒｏｌ  Ｃｈａｎｎｅｌ）とのうち、少なくとも２種を含み、ＢＦＲＱを送信する方式は、下記の少なくとも１種を含む。
【００４０】
ａ、少なくとも２種のターゲットチャネルリソースのうち、送信優先度が第一プリセット条件を満たすターゲットチャネルリソースを用いて、ＢＦＲＱを送信する。
【００４１】
そのうち、少なくとも２種のターゲットチャネルリソースのうち、各チャネルリソースの送信優先度は、ネットワーク側機器によって予め設定されたもの、又は、ネットワーク側機器と端末機器とが予め約束したものであってもよい。
【００４２】
第一プリセット条件は、実際の状況に応じて定めることが可能であり、ここで、具体的に限定しない。
【００４３】
選択的に、第一プリセット条件は、送信優先度が最も高いことである。
【００４４】
例えば、ターゲットチャネルリソースは、セミパーシステントＰＵＳＣＨと、ＰＲＡＣＨと、ＰＵＣＣＨとの３種を含み、３種のターゲットチャネルリソースは、送信優先度の高い方から低い方へ順次にセミパーシステントＰＵＳＣＨ、ＰＵＣＣＨ、ＰＲＡＣＨとなる。すると、端末機器は、送信優先度が最も高いターゲットチャネルリソース（セミパーシステントＰＵＳＣＨ）を用いて、ネットワーク側機器にＢＦＲＱを送信する。
【００４５】
ｂ、少なくとも２種のターゲットチャネルリソースのうち、送信時刻が第二プリセット条件を満たすターゲットチャネルリソースを用いて、ＢＦＲＱを送信する。
【００４６】
少なくとも２種のターゲットチャネルリソースのうち、各ターゲットチャネルリソースは、自分の対応する送信時刻（周期的又は非周期的なもの）を持っており、端末機器は、少なくとも２種のターゲットチャネルリソースのうち、送信時刻が第二プリセット条件を満たすターゲットチャネルリソースを用いて、ネットワーク側機器にＢＦＲＱを送信する。
【００４７】
第二プリセット条件は、実際の状況に応じて定めることが可能であり、ここで限定しない。
【００４８】
選択的に、第二プリセット条件は、送信時刻が現在時刻に最も近いことである。
【００４９】
例えば、ターゲットチャネルリソースは、セミパーシステントＰＵＳＣＨと、ＰＲＡＣＨと、ＰＵＣＣＨとの３種を含み、３種のターゲットチャネルリソースは、送信時刻が現在時刻に近い方から遠い方へ順次にＰＵＣＣＨ、ＰＲＡＣＨ、セミパーシステントＰＵＳＣＨとなる。すると、端末機器は、送信時刻が現在時刻に最も近いターゲットチャネルリソース（ＰＵＣＣＨ）を用いて、ネットワーク側機器にＢＦＲＱを送信する。
【００５０】
ｃ、少なくとも２種のターゲットチャネルリソースのうち、ペイロードサイズが第三プリセット条件を満たすターゲットチャネルリソースを用いて、ＢＦＲＱを送信する。
【００５１】
第三プリセット条件は、実際の状況に応じて定めることが可能であり、ここで限定しない。
【００５２】
選択的に、第三プリセット条件は、ペイロードサイズがＢＦＲＱのサイズよりも大きいことである。
【００５３】
例えば、ターゲットチャネルリソースは、セミパーシステントＰＵＳＣＨと、ＰＲＡＣＨと、ＰＵＣＣＨとの３種を含み、３種のターゲットチャネルリソースのうち、ペイロードサイズがＢＦＲＱのサイズよりも大きいのは、ＰＲＡＣＨである。すると、端末機器は、ＰＲＡＣＨを用いて、ネットワーク側機器にＢＦＲＱを送信する。
【００５４】
ｄ、少なくとも２種のターゲットチャネルリソースの各々を用いて、ＢＦＲＱをそれぞれ送信する。
【００５５】
例えば、ターゲットチャネルリソースは、セミパーシステントＰＵＳＣＨと、ＰＲＡＣＨと、ＰＵＣＣＨとの３種を含む。すると、端末機器は、セミパーシステントＰＵＳＣＨ、ＰＲＡＣＨ、ＰＵＣＣＨをそれぞれ用いて、ネットワーク側機器にＢＦＲＱを送信する。
【００５６】
そのうち、各ターゲットチャネルリソースでＢＦＲＱを送信する送信時刻は、同じであってもよいし、異なってもよいが、ここで、具体的に限定しない。
【００５７】
上記ａ〜ｄの４つの方式は、単独で用いてもよいし、様々な形で併用してもよいが、ここで、具体的に限定しない。
【００５８】
一例として、ターゲットチャネルリソースは、セミパーシステントＰＵＳＣＨと、ＰＲＡＣＨと、ＰＵＣＣＨとの３種を含み、端末機器は、上記方式ｃ及びａを併用して、ＢＦＲＱを送信する。
【００５９】
まず、端末機器は、３種のターゲットチャネルリソースのうち、ペイロードサイズが第三プリセット条件を満たす（ペイロードサイズがＢＦＲＱのサイズよりも大きい）ターゲットチャネルリソースを選択し、この際、ペイロードサイズがＢＦＲＱのサイズよりも大きいターゲットチャネルリソースには、セミパーシステントＰＵＳＣＨと、ＰＲＡＣＨとの２種が含まれている。
【００６０】
その後、端末機器は、セミパーシステントＰＵＳＣＨと、ＰＲＡＣＨとのうち、送信優先度が第一プリセット条件を満たす（送信優先度が最も高い）ターゲットチャネルリソースを選択し、それを用いてネットワーク側機器にＢＦＲＱを送信し、即ち、端末機器は、送信優先度が高い方のセミパーシステントＰＵＳＣＨを用いて、ネットワーク側機器にＢＦＲＱを送信する。
【００６１】
本開示の実施例において、ＣＯＲＥＳＥＴ−ＢＦＲの設定情報は、ＣＯＲＥＳＥＴ−ＢＦＲのＴＣＩ  ｓｔａｔｅ（Ｔｒａｎｓｍｉｓｓｉｏｎ  Ｃｏｎｆｉｇｕｒａｔｉｏｎ  Ｉｎｄｉｃａｔｉｏｎ  ｓｔａｔｅ）を更に含む。
【００６２】
ネットワーク側機器がＣＯＲＥＳＥＴ−ＢＦＲのＴＣＩ  ｓｔａｔｅを設定する方式は、下記の少なくとも２種を含んでもよい。
【００６３】
第一種：
ネットワーク側機器は、ＲＲＣシグナリングを介して、ＣＯＲＥＳＥＴ−ＢＦＲのためにＴＣＩ  ｓｔａｔｅを１つ設定する。
【００６４】
ネットワーク側機器が、ＲＲＣシグナリングを介して、端末機器にＣＯＲＥＳＥＴ−ＢＦＲの設定情報を設定した場合、当該ＣＯＲＥＳＥＴ−ＢＦＲの設定情報に１つのＴＣＩ  ｓｔａｔｅが含まれ、即ち、当該ＴＣＩ  ｓｔａｔｅは、ＣＯＲＥＳＥＴ−ＢＦＲのＴＣＩ  ｓｔａｔｅである。
【００６５】
第二種：
ネットワーク側機器は、ＲＲＣシグナリングを介して複数のＴＣＩ  ｓｔａｔｅを設定し、更に、ＭＡＣ  ＣＥシグナリングを介して、複数のＴＣＩ  ｓｔａｔｅのうち、１つのＴＣＩ  ｓｔａｔｅをＣＯＲＥＳＥＴ−ＢＦＲのＴＣＩ  ｓｔａｔｅとすることを端末機器に指示する。
【００６６】
ネットワーク側機器がＲＲＣシグナリングを介して端末機器にＣＯＲＥＳＥＴ−ＢＦＲの設定情報を設定した場合、当該ＣＯＲＥＳＥＴ−ＢＦＲの設定情報に複数のＴＣＩ  ｓｔａｔｅが含まれ、更に、ネットワーク側機器は、ＭＡＣ  ＣＥシグナリングを介して、当該複数のＴＣＩ  ｓｔａｔｅのうち、１つのＴＣＩ  ｓｔａｔｅをＣＯＲＥＳＥＴ−ＢＦＲのＴＣＩ  ｓｔａｔｅとすることを端末機器に指示する。
【００６７】
もし、端末機器にビーム障害イベントが発生した第一セルと、ＣＯＲＥＳＥＴ−ＢＦＲの設定情報内のｃｅｌｌ  ｉｎｄｅｘによって示された第二セルとは、異なるセルであるか、或いは、端末機器にビーム障害イベントが発生した第一ＢＷＰと、ＣＯＲＥＳＥＴ−ＢＦＲの設定情報内のＢＷＰ  ｉｎｄｅｘによって示された第二ＢＷＰとは、異なるＢＷＰであれば、端末機器は、ネットワーク側機器にＢＦＲＱを送信した後に、プリセット期間（４つのタイムスロットｓｌｏｔ）以内に第二セル又は第二ＢＷＰに切り替えて、ＣＯＲＥＳＥＴ−ＢＦＲのＱＣＬ情報を決定する必要があり、それにより、第二セル又は第二ＢＷＰにおいて、ＣＯＲＥＳＥＴ−ＢＦＲのＱＣＬ情報に基づいて、ビーム障害回復要求応答情報を受信可能にする。
【００６８】
端末機器がＣＯＲＥＳＥＴ−ＢＦＲのＱＣＬ情報を決定する方式は、下記の少なくとも２種を含んでもよい。
【００６９】
第一種：
本開示の実施例において、ＣＯＲＥＳＥＴ−ＢＦＲのＱＣＬ情報を決定することは、
ＣＯＲＥＳＥＴ−ＢＦＲのＴＣＩ  ｓｔａｔｅに基づいて、ＣＯＲＥＳＥＴ−ＢＦＲのＱＣＬ情報を決定することを含む。
【００７０】
もしＣＯＲＥＳＥＴ−ＢＦＲの設定情報にＣＯＲＥＳＥＴ−ＢＦＲのＴＣＩ  ｓｔａｔｅが含まれている場合、当該ＣＯＲＥＳＥＴ−ＢＦＲのＴＣＩ  ｓｔａｔｅは、ＣＯＲＥＳＥＴ−ＢＦＲのＱＣＬ情報を指示するためのものなので、端末機器は、当該ＣＯＲＥＳＥＴ−ＢＦＲのＴＣＩ  ｓｔａｔｅに基づいて、ＣＯＲＥＳＥＴ−ＢＦＲのＱＣＬ情報を決定する。
【００７１】
例えば、ＣＯＲＥＳＥＴ−ＢＦＲのＴＣＩ  ｓｔａｔｅにより指示されるソース基準信号（Ｓｏｕｒｃｅ  Ｒｅｆｅｒｅｎｃｅ  Ｓｉｇｎａｌ、Ｓｏｕｒｃｅ  ＲＳ）が、あるＣＳＩ−ＲＳ  ｒｅｓｏｕｒｃｅであれば、端末機器は、当該ＣＳＩ−ＲＳ  ｒｅｓｏｕｒｃｅとＣＯＲＥＳＥＴ−ＢＦＲがＱＣＬのものであると決定できる。
【００７２】
端末機器にネットワーク側機器によって設定されたＣＯＲＥＳＥＴ−ＢＦＲのＴＣＩ  ｓｔａｔｅに基づいて、ＣＯＲＥＳＥＴ−ＢＦＲのＱＣＬ情報を決定することで、ネットワーク側機器と端末機器とに、ＣＯＲＥＳＥＴ−ＢＦＲのＱＣＬ情報に対する理解を一致させて、ＣＯＲＥＳＥＴ−ＢＦＲのＱＣＬ情報の正確性を確保できる。
【００７３】
第二種：
本開示の実施例において、ＣＯＲＥＳＥＴ−ＢＦＲのＱＣＬ情報を決定することは、
ターゲットビーム基準信号のＱＣＬ情報を、ＣＯＲＥＳＥＴ−ＢＦＲのＱＣＬ情報として決定することを含む。
【００７４】
ＣＯＲＥＳＥＴ−ＢＦＲの設定情報にＣＯＲＥＳＥＴ−ＢＦＲのＴＣＩ  ｓｔａｔｅが含まれているか否かにかかわらず、端末機器は、ターゲットビーム基準信号のＱＣＬ情報を、ＣＯＲＥＳＥＴ−ＢＦＲのＱＣＬ情報として決定する。
【００７５】
例えば、ターゲットビーム基準信号が、あるＳＳＢ  ｒｅｓｏｕｒｃｅであれば、端末機器は、当該ＳＳＢ  ｒｅｓｏｕｒｃｅのＱＣＬ情報をＣＯＲＥＳＥＴ−ＢＦＲのＱＣＬ情報として決定し、即ち当該ＳＳＢ  ｒｅｓｏｕｒｃｅとＣＯＲＥＳＥＴ−ＢＦＲがＱＣＬのものであると決定できる。
【００７６】
本開示の実施例では、第二セル又は第二ＢＷＰにおいて、ＣＯＲＥＳＥＴ−ＢＦＲのＱＣＬ情報に基づいて、ビーム障害回復要求応答情報を受信することは、
第二セル又は第二ＢＷＰにおいて、ＣＯＲＥＳＥＴ−ＢＦＲのＱＣＬ情報に基づいて、ターゲット時間ウィンドウ内で、ＣＯＲＥＳＥＴ−ＢＦＲにおける専用のＰＤＣＣＨ（Ｐｈｙｓｉｃａｌ  Ｄｏｗｎｌｉｎｋ  Ｃｏｎｔｒｏｌ  Ｃｈａｎｎｅｌ）に付帯されているビーム障害回復要求応答情報を受信することを含む。
【００７７】
端末機器は、ＣＯＲＥＳＥＴ−ＢＦＲが位置する第二セル又は第二ＢＷＰに切り替えた後、ターゲット時間ウィンドウ内で監視するとともに、ネットワーク側機器からＣＯＲＥＳＥＴ−ＢＦＲにおける専用のＰＤＣＣＨで送信されたビーム障害回復要求応答情報を受信する。
【００７８】
そのうち、ビーム障害回復要求応答情報は、ターゲットビーム基準信号に対応するターゲットビームに切り替えるように端末機器に明示的または暗黙的に指示するシグナリングを含んでもよいし、ビームサーチを再開するように端末機器に指示するシグナリングを含んでもよく、更に、他のシグナリングを含んでもよいが、ここで、具体的に限定しない。
【００７９】
端末機器がターゲット時間ウィンドウの監視中にビーム障害回復要求応答情報を受信した場合、ビーム障害回復は成功である。
【００８０】
本開示の実施例において、前記方法は、
ターゲット時間ウィンドウ外で、ビーム障害イベントが発生した第一セル又は第一ＢＷＰに切り替えることと、
第一セルに設定されたＣＯＲＥＳＥＴを監視するか、或いは、第一ＢＷＰに設定されたＣＯＲＥＳＥＴを監視することとを更に含む。
【００８１】
端末機器がターゲット時間ウィンドウの監視中にビーム障害回復要求応答情報を受信していない場合、端末機器は、ターゲット時間ウィンドウ外で、ビーム障害イベントが発生した第一セル又は第一ＢＷＰに切り替えて、第一セルに設定されたＣＯＲＥＳＥＴを監視するか、或いは、第一ＢＷＰに設定されたＣＯＲＥＳＥＴを監視してもよい。
【００８２】
端末機器が第一セルに設定されたＣＯＲＥＳＥＴを監視するか、或いは、第一ＢＷＰに設定されたＣＯＲＥＳＥＴを監視しているときに、通常の通信を実現できる場合、端末機器は、ビーム障害回復操作を行う必要が無くなり、又は、依然として次のターゲット時間ウィンドウが到来する前に第二セル又は第二ＢＷＰに切り替えて、ターゲット時間ウィンドウ内で監視する。端末機器が第一セルに設定されたＣＯＲＥＳＥＴを監視するか、或いは、第一ＢＷＰに設定されたＣＯＲＥＳＥＴを監視しているときに、通常の通信をまだ実現できない場合、端末機器は、次のターゲット時間ウィンドウが到来する前に、第二セル又は第二ＢＷＰに切り替えて、ターゲット時間ウィンドウ内で監視する。
【００８３】
本開示の実施例に記載の技術案によれば、ＣＯＲＥＳＥＴ−ＢＦＲの設定情報内に、ＣＯＲＥＳＥＴ−ＢＦＲが位置するセルのｃｅｌｌ  ｉｎｄｅｘ、及び／又は、ＣＯＲＥＳＥＴ−ＢＦＲが位置するＢＷＰのＢＷＰ  ｉｎｄｅｘを追加することにより、マルチキャリアシステムでは、上位層シグナリングを介してＣＯＲＥＳＥＴ−ＢＦＲを柔軟に設定することを効果的に実現できる。
【００８４】
図３は、本開示の実施例によるビーム障害回復のための方法のフロー模式図である。前記方法は、ネットワーク側機器に適用されるもので、以下の通りであってもよい。
【００８５】
ステップ３１０として、端末機器に設定されたＣＯＲＥＳＥＴ−ＢＦＲの設定情報が含まれている上位層シグナリングを送信し、ＣＯＲＥＳＥＴ−ＢＦＲの設定情報は、ＣＯＲＥＳＥＴ−ＢＦＲが位置するセルのｃｅｌｌ  ｉｎｄｅｘと、ＣＯＲＥＳＥＴ−ＢＦＲが位置するＢＷＰのＢＷＰ  ｉｎｄｅｘとのうち、少なくとも１種を含む。
【００８６】
そのうち、上位層シグナリングは、ＲＲＣシグナリングと、ＭＡＣ  ＣＥシグナリングとのうち、少なくとも１種を含む。
【００８７】
ネットワーク側機器は、端末機器に設定されたＣＯＲＥＳＥＴ−ＢＦＲの設定情報内に、当該ＣＯＲＥＳＥＴ−ＢＦＲが位置するセルのｃｅｌｌ  ｉｎｄｅｘ、及び／又は、当該ＣＯＲＥＳＥＴ−ＢＦＲが位置するＢＷＰのＢＷＰ  ｉｎｄｅｘを追加し、更に、上位層シグナリングを介して、端末機器に当該ＣＯＲＥＳＥＴ−ＢＦＲの設定情報を送信することで、端末機器にＣＯＲＥＳＥＴ−ＢＦＲを柔軟に設定することを実現する。
【００８８】
そのうち、端末機器が現在位置するセル又はＢＷＰは、端末機器にネットワーク側機器によって設定されたＣＯＲＥＳＥＴ−ＢＦＲが位置するセル又はＢＷＰとは、同じであり得るし、異なり得るが、ここで、具体的に限定しない。
【００８９】
本開示の実施例では、前記方法は、
端末機器から送信されたＢＦＲＱを受信することと、
ＣＯＲＥＳＥＴ−ＢＦＲのＱＣＬ情報を決定することと、
ｃｅｌｌ  ｉｎｄｅｘに対応する第二セル、又は、ＢＷＰ  ｉｎｄｅｘに対応する第二ＢＷＰにおいて、ＣＯＲＥＳＥＴ−ＢＦＲのＱＣＬ情報に基づいて、ビーム障害回復要求応答情報を送信することとを更に含む。
【００９０】
実際の応用において、ネットワーク側機器は、端末機器にＣＯＲＥＳＥＴ−ＢＦＲを設定することに加え、端末機器にＢＦＤ  ＲＳを設定し、端末機器は、ＢＦＤ  ＲＳに基づいてビーム障害検出を行うようになる。
【００９１】
端末機器は、物理レイヤでＢＦＤ  ＲＳを測定し、測定結果によって、ビーム障害イベントが発生したかどうかを判断する。測定結果によって、端末機器が位置する第一セル又は第一ＢＷＰにビーム障害イベントが発生したのを決定すると、端末機器は、ネットワーク側機器にＢＦＲＱを送信して、端末機器から送信されたＢＦＲＱをネットワーク側機器が受信可能にする。
【００９２】
ネットワーク側機器が端末機器から送信されたＢＦＲＱを受信する方式は、下記の少なくとも２種を含んでもよい。
【００９３】
第一種：
本開示の実施例において、端末機器から送信されたＢＦＲＱを受信することは、
ターゲットビーム基準信号に対応するチャネルリソースであるターゲットチャネルリソースを用いて、ＢＦＲＱを受信することを包含する。
【００９４】
実際の応用において、ネットワーク側機器は、端末機器にＣＯＲＥＳＥＴ−ＢＦＲ、ＢＦＤ  ＲＳを設定することに加え、端末機器に候補ビーム基準信号を設定し、端末機器は、ビーム障害イベントの発生を決定した後、ビーム障害回復のためのターゲットビーム基準信号として候補ビーム基準信号の中から１つを選択することが可能である。
【００９５】
そのうち、候補ビーム基準信号は、ＣＳＩ−ＲＳであってもよいし、ＳＳＢであってもよく、更に、他の基準信号であってもよいが、ここで、具体的に限定しない。
【００９６】
ネットワーク側機器は、候補ビーム基準信号のために、対応するターゲットチャネルリソースを設定している。
【００９７】
端末機器は、第一セル又は第一ＢＷＰにビーム障害イベントが発生したのを決定して、候補ビーム基準信号の中からターゲットビーム基準信号を決定した後に、当該ターゲットビーム基準信号に対応するターゲットチャネルリソースを用いて、ネットワーク側機器にＢＦＲＱを送信する。
【００９８】
ネットワーク側機器がターゲットチャネルリソースにてＢＦＲＱを受信した場合、ターゲットビーム基準信号は、ターゲットチャネルリソースに対応するものなので、ネットワーク側機器は、端末機器によって選択されたターゲットビーム基準信号を決定することができる。
【００９９】
第二種：
本開示の実施例において、端末機器から送信されたＢＦＲＱを受信することは、
予め設定されたターゲットチャネルリソースを用いて、ＢＦＲＱを受信することであって、ＢＦＲＱには、ターゲットビーム基準信号の識別子情報が含まれている、受信することを含む。
【０１００】
ネットワーク側機器は、端末機器に、ＢＦＲＱを送信するためのターゲットチャネルリソースを予め設定した。
【０１０１】
端末機器は、第一セル又は第一ＢＷＰにビーム障害イベントが発生したのを決定して、候補ビーム基準信号の中からターゲットビーム基準信号を決定した後に、予め設定されたターゲットチャネルリソースを用いて、ネットワーク側機器にＢＦＲＱを送信し、当該ＢＦＲＱには、ターゲットビーム基準信号の識別子情報が付帯されている。
【０１０２】
ネットワーク側機器は、ターゲットチャネルリソースにてＢＦＲＱを受信した後、ＢＦＲＱに付帯されているターゲットビーム基準信号の識別子情報に基づいて、端末機器によって選択されたターゲットビーム基準信号を決定することができる。
【０１０３】
本開示の実施例において、ターゲットチャネルリソースは、セミパーシステントＰＵＳＣＨである。
【０１０４】
例えば、ネットワーク側機器は、ターゲットビーム基準信号に対応するセミパーシステントＰＵＳＣＨを用いて、端末機器から送信されたＢＦＲＱを受信するか、或いは、ネットワーク側機器は、予め設定されたセミパーシステントＰＵＳＣＨを用いて、端末機器から送信されたＢＦＲＱを受信し、ＢＦＲＱには、ターゲットビーム基準信号の識別子情報が含まれている。
【０１０５】
本開示の実施例において、ターゲットチャネルリソースは、セミパーシステントＰＵＳＣＨと、ＰＲＡＣＨと、ＰＵＣＣＨとのうち、少なくとも２種を含み、ＢＦＲＱを受信する方式は、下記の少なくとも１種を含んでもよい。
【０１０６】
ａ、少なくとも２種のターゲットチャネルリソースのうち、受信優先度が第一プリセット条件を満たすターゲットチャネルリソースを用いて、ＢＦＲＱを受信する。
【０１０７】
そのうち、少なくとも２種のターゲットチャネルリソースのうち、各チャネルリソースの受信優先度は、ネットワーク側機器によって予め設定されたもの、又は、ネットワーク側機器と端末機器とが予め約束したものであってもよい。
【０１０８】
第一プリセット条件は、実際の状況に応じて定めることが可能であり、ここで、具体的に限定しない。
【０１０９】
選択的に、第一プリセット条件は、受信優先度が最も高いことである。
【０１１０】
例えば、ターゲットチャネルリソースは、セミパーシステントＰＵＳＣＨと、ＰＲＡＣＨと、ＰＵＣＣＨとの３種を含み、３種のターゲットチャネルリソースは、受信優先度の高い方から低い方へ順次にセミパーシステントＰＵＳＣＨ、ＰＵＣＣＨ、ＰＲＡＣＨとなる。すると、ネットワーク側機器は、受信優先度が最も高いターゲットチャネルリソース（セミパーシステントＰＵＳＣＨ）を用いて、端末機器から送信されたＢＦＲＱを受信する。
【０１１１】
ｂ、少なくとも２種のターゲットチャネルリソースのうち、受信時刻が第二プリセット条件を満たすターゲットチャネルリソースを用いて、ＢＦＲＱを受信する。
【０１１２】
少なくとも２種のターゲットチャネルリソースのうち、各ターゲットチャネルリソースは、自分の対応する受信時刻（周期的又は非周期的なもの）を持っており、ネットワーク側機器は、少なくとも２種のターゲットチャネルリソースのうち、受信時刻が第二プリセット条件を満たすターゲットチャネルリソースを用いて、端末機器から送信されたＢＦＲＱを受信する。
【０１１３】
第二プリセット条件は、実際の状況に応じて定めることが可能であり、ここで限定しない。
【０１１４】
選択的に、第二プリセット条件は、受信時刻が現在時刻に最も近いことである。
【０１１５】
例えば、ターゲットチャネルリソースは、セミパーシステントＰＵＳＣＨと、ＰＲＡＣＨと、ＰＵＣＣＨとの３種を含み、３種のターゲットチャネルリソースは、受信時刻が現在時刻に近い方から遠い方へ順次にＰＵＣＣＨ、ＰＲＡＣＨ、セミパーシステントＰＵＳＣＨとなる。すると、ネットワーク側機器は、受信時刻が現在時刻に最も近いのターゲットチャネルリソース（ＰＵＣＣＨ）を用いて、端末機器から送信されたＢＦＲＱを受信する。
【０１１６】
ｃ、少なくとも２種のターゲットチャネルリソースのうち、ペイロードサイズが第三プリセット条件を満たすターゲットチャネルリソースを用いて、ＢＦＲＱを受信する。
【０１１７】
第三プリセット条件は、実際の状況に応じて定めることが可能であり、ここで限定しない。
【０１１８】
選択的に、第三プリセット条件は、ペイロードサイズがＢＦＲＱのサイズよりも大きいことである。
【０１１９】
例えば、ターゲットチャネルリソースは、セミパーシステントＰＵＳＣＨと、ＰＲＡＣＨと、ＰＵＣＣＨとの３種を含み、３種のターゲットチャネルリソースのうち、ペイロードサイズがＢＦＲＱのサイズよりも大きいのは、ＰＲＡＣＨである。すると、ネットワーク側機器は、ＰＲＡＣＨを用いて、端末機器から送信されたＢＦＲＱを受信する。
【０１２０】
ｄ、少なくとも２種のターゲットチャネルリソースの各々を用いて、ＢＦＲＱをそれぞれ受信する。
【０１２１】
例えば、ターゲットチャネルリソースは、セミパーシステントＰＵＳＣＨと、ＰＲＡＣＨと、ＰＵＣＣＨとの３種を含む。すると、ネットワーク側機器は、セミパーシステントＰＵＳＣＨ、ＰＲＡＣＨ、ＰＵＣＣＨをそれぞれ用いて、端末機器から送信されたＢＦＲＱを受信する。
【０１２２】
そのうち、それぞれのターゲットチャネルリソースでＢＦＲＱを受信する受信時刻は、同じであってもよいし、異なってもよいが、ここで、具体的に限定しない。
【０１２３】
上記ａ〜ｄの４つの方式は、単独で用いてもよいし、様々な形で併用してもよいが、ここで、具体的に限定しない。
【０１２４】
一例として、ターゲットチャネルリソースは、セミパーシステントＰＵＳＣＨと、ＰＲＡＣＨと、ＰＵＣＣＨとの３種を含み、ネットワーク側機器は、上記方式ｃ及びａを併用して、ＢＦＲＱを受信する。
【０１２５】
まず、ネットワーク側機器は、３種のターゲットチャネルリソースのうち、ペイロードサイズが第三プリセット条件を満たす（ペイロードサイズがＢＦＲＱのサイズよりも大きい）ターゲットチャネルリソースを選択し、この際、ペイロードサイズがＢＦＲＱのサイズよりも大きいターゲットチャネルリソースには、セミパーシステントＰＵＳＣＨと、ＰＲＡＣＨとの２種が含まれている。
【０１２６】
その後、ネットワーク側機器は、セミパーシステントＰＵＳＣＨ及びＰＲＡＣＨのうち、受信優先度が第一プリセット条件を満たす（受信優先度が最も高い）ターゲットチャネルリソースを選択し、それを用いて端末機器から送信されたＢＦＲＱを受信し、即ち、ネットワーク側機器は、受信優先度が高い方のセミパーシステントＰＵＳＣＨを用いて、端末機器から送信されたＢＦＲＱを受信する。
【０１２７】
本開示の実施例において、ＣＯＲＥＳＥＴ−ＢＦＲの設定情報は、ＣＯＲＥＳＥＴ−ＢＦＲのＴＣＩ  ｓｔａｔｅを更に含む。
【０１２８】
ネットワーク側機器がＣＯＲＥＳＥＴ−ＢＦＲのＴＣＩ  ｓｔａｔｅを設定する方式は、下記の少なくとも２種を含んでもよい。
【０１２９】
第一種：
ネットワーク側機器は、ＲＲＣシグナリングを介して、ＣＯＲＥＳＥＴ−ＢＦＲのためにＴＣＩ  ｓｔａｔｅを１つ設定する。
【０１３０】
ネットワーク側機器が、ＲＲＣシグナリングを介して、端末機器にＣＯＲＥＳＥＴ−ＢＦＲの設定情報を設定した場合、当該ＣＯＲＥＳＥＴ−ＢＦＲの設定情報に１つのＴＣＩ  ｓｔａｔｅが含まれ、即ち、当該ＴＣＩ  ｓｔａｔｅは、ＣＯＲＥＳＥＴ−ＢＦＲのＴＣＩ  ｓｔａｔｅである。
【０１３１】
第二種：
ネットワーク側機器は、ＲＲＣシグナリングを介して複数のＴＣＩ  ｓｔａｔｅを設定し、更に、ＭＡＣ  ＣＥシグナリングを介して、複数のＴＣＩ  ｓｔａｔｅのうち、１つのＴＣＩ  ｓｔａｔｅをＣＯＲＥＳＥＴ−ＢＦＲのＴＣＩ  ｓｔａｔｅとすることを端末機器に指示する。
【０１３２】
ネットワーク側機器がＲＲＣシグナリングを介して端末機器にＣＯＲＥＳＥＴ−ＢＦＲの設定情報を設定した場合、当該ＣＯＲＥＳＥＴ−ＢＦＲの設定情報に複数のＴＣＩ  ｓｔａｔｅが含まれ、更に、ネットワーク側機器は、ＭＡＣ  ＣＥシグナリングを介して、当該複数のＴＣＩ  ｓｔａｔｅのうち、１つのＴＣＩ  ｓｔａｔｅをＣＯＲＥＳＥＴ−ＢＦＲのＴＣＩ  ｓｔａｔｅとすることを端末機器に指示する。
【０１３３】
ネットワーク側機器が、端末機器から送信されたＢＦＲＱを受信した場合、ネットワーク側機器は、当該端末機器に設定されたＣＯＲＥＳＥＴ−ＢＦＲのＱＣＬ情報を決定し、更に、当該ＣＯＲＥＳＥＴ−ＢＦＲが位置する第二セル又は第二ＢＷＰにおいて、当該ＣＯＲＥＳＥＴ−ＢＦＲのＱＣＬ情報に基づいて、ビーム障害回復要求応答情報を送信する。
【０１３４】
ネットワーク側機器がＣＯＲＥＳＥＴ−ＢＦＲのＱＣＬ情報を決定する方式は、下記の少なくとも２種を含んでもよい。
【０１３５】
第一種：
本開示の実施例において、ＣＯＲＥＳＥＴ−ＢＦＲのＱＣＬ情報を決定することは、
ＣＯＲＥＳＥＴ−ＢＦＲのＴＣＩ  ｓｔａｔｅに基づいて、ＣＯＲＥＳＥＴ−ＢＦＲのＱＣＬ情報を決定することを含む。
【０１３６】
端末機器にネットワーク側機器によって設定されたＣＯＲＥＳＥＴ−ＢＦＲの設定情報にＣＯＲＥＳＥＴ−ＢＦＲのＴＣＩ  ｓｔａｔｅが含まれている場合、当該ＣＯＲＥＳＥＴ−ＢＦＲのＴＣＩ  ｓｔａｔｅは、ＣＯＲＥＳＥＴ−ＢＦＲのＱＣＬ情報を指示するためのものなので、ネットワーク側機器は、当該ＣＯＲＥＳＥＴ−ＢＦＲのＴＣＩ  ｓｔａｔｅに基づいて、ＣＯＲＥＳＥＴ−ＢＦＲのＱＣＬ情報を決定する。
【０１３７】
例えば、ＣＯＲＥＳＥＴ−ＢＦＲのためにネットワーク側機器によって設定されたＴＣＩ  ｓｔａｔｅにより指示されるＳｏｕｒｃｅ  ＲＳが、あるＣＳＩ−ＲＳ  ｒｅｓｏｕｒｃｅであれば、ネットワーク側機器は、当該ＣＳＩ−ＲＳ  ｒｅｓｏｕｒｃｅとＣＯＲＥＳＥＴ−ＢＦＲがＱＣＬのものであると決定できる。
【０１３８】
端末機器にネットワーク側機器によって設定されたＣＯＲＥＳＥＴ−ＢＦＲのＴＣＩ  ｓｔａｔｅに基づいて、ＣＯＲＥＳＥＴ−ＢＦＲのＱＣＬ情報を決定することで、ネットワーク側機器と端末機器とに、ＣＯＲＥＳＥＴ−ＢＦＲのＱＣＬ情報に対する理解を一致すさせて、ＣＯＲＥＳＥＴ−ＢＦＲのＱＣＬ情報の正確性を確保できる。
【０１３９】
第二種：
本開示の実施例において、ＣＯＲＥＳＥＴ−ＢＦＲのＱＣＬ情報を決定することは、
ターゲットビーム基準信号のＱＣＬ情報を、ＣＯＲＥＳＥＴ−ＢＦＲのＱＣＬ情報として決定することを含む。
【０１４０】
ＣＯＲＥＳＥＴ−ＢＦＲの設定情報にＣＯＲＥＳＥＴ−ＢＦＲのＴＣＩ  ｓｔａｔｅが含まれているかどうかに関わらず、ネットワーク側機器は、ターゲットビーム基準信号のＱＣＬ情報を、ＣＯＲＥＳＥＴ−ＢＦＲのＱＣＬ情報として決定する。そのうち、当該ターゲットビーム基準信号は、ＢＦＲＱを受信するターゲットチャネルリソースに対応する候補ビーム基準信号であるか、或いは、当該ターゲットビーム基準信号は、受信されたＢＦＲＱに含まれているターゲットビーム基準信号の識別子情報に対応する候補ビーム基準信号である。
【０１４１】
例えば、ターゲットビーム基準信号が、あるＳＳＢ  ｒｅｓｏｕｒｃｅであれば、ネットワーク側機器は、当該ＳＳＢ  ｒｅｓｏｕｒｃｅのＱＣＬ情報をＣＯＲＥＳＥＴ−ＢＦＲのＱＣＬ情報として決定し、即ち、当該ＳＳＢ  ｒｅｓｏｕｒｃｅとＣＯＲＥＳＥＴ−ＢＦＲがＱＣＬのものであると決定できる。
【０１４２】
本開示の実施例では、ｃｅｌｌ  ｉｎｄｅｘに対応する第二セル、又は、ＢＷＰ  ｉｎｄｅｘに対応する第二ＢＷＰにおいて、ＣＯＲＥＳＥＴ−ＢＦＲのＱＣＬ情報に基づいて、ビーム障害回復要求応答情報を送信することは、
第二セル又は第二ＢＷＰにおいて、ＣＯＲＥＳＥＴ−ＢＦＲのＱＣＬ情報に基づいて、ターゲット時間ウィンドウ内で、ＣＯＲＥＳＥＴ−ＢＦＲにおける専用のＰＤＣＣＨを用いて、ビーム障害回復要求応答情報を送信することを含む。
【０１４３】
ネットワーク側機器が、端末機器から送信されたＢＦＲＱを受信して、当該端末機器に設定されたＣＯＲＥＳＥＴ−ＢＦＲ、及び、当該ＣＯＲＥＳＥＴ−ＢＦＲのＱＣＬ情報を決定した後に、ネットワーク側機器は、当該ＣＯＲＥＳＥＴ−ＢＦＲが位置する第二セル又は第二ＢＷＰにおいて、当該ＣＯＲＥＳＥＴ−ＢＦＲにおける専用のＰＤＣＣＨを用いて、時間ウィンドウ内でビーム障害回復要求応答情報を送信する。
【０１４４】
そのうち、ビーム障害回復要求応答情報は、ターゲットビーム基準信号に対応するターゲットビームに切り替えるように端末機器に明示的または暗黙的に指示するシグナリングを含んでもよいし、ビームサーチを再開するように端末機器に指示するシグナリングを含んでもよく、更に、他のシグナリングを含んでもよいが、ここで、具体的に限定しない。
【０１４５】
本開示の実施例に記載の技術案によれば、ＣＯＲＥＳＥＴ−ＢＦＲの設定情報内に、ＣＯＲＥＳＥＴ−ＢＦＲが位置するセルのｃｅｌｌ  ｉｎｄｅｘ、及び／又は、ＣＯＲＥＳＥＴ−ＢＦＲが位置するＢＷＰのＢＷＰ  ｉｎｄｅｘを追加することにより、マルチキャリアシステムでは、上位層シグナリングを介してＣＯＲＥＳＥＴ−ＢＦＲを柔軟に設定することを効果的に実現できる。
【０１４６】
図４は、本開示の実施例による端末機器の構造模式図である。図４に示す端末機器４００は、
端末機器４００に設定されたＣＯＲＥＳＥＴ−ＢＦＲの設定情報が含まれている上位層シグナリングを受信するための受信モジュール４０１を含み、
ＣＯＲＥＳＥＴ−ＢＦＲの設定情報は、
ＣＯＲＥＳＥＴ−ＢＦＲが位置するセルのｃｅｌｌ  ｉｎｄｅｘと、ＣＯＲＥＳＥＴ−ＢＦＲが位置するＢＷＰのＢＷＰ  ｉｎｄｅｘとのうち、少なくとも１種を含む。
【０１４７】
選択的に、端末機器４００は、
端末機器４００が、第一セル又は第一ＢＷＰにビーム障害イベントが発生したのを決定すると、ＢＦＲＱを送信するための送信モジュールと、
ｃｅｌｌ  ｉｎｄｅｘに対応する第二セル、又は、ＢＷＰ  ｉｎｄｅｘに対応する第二ＢＷＰに切り替えるための切り替えることであって、第一セルと第二セルとは、異なるセルであり、第一ＢＷＰと第二ＢＷＰとは、異なるＢＷＰである、切り替えるための切り替えモジュールと、
ＣＯＲＥＳＥＴ−ＢＦＲのＱＣＬ情報を決定するための決定モジュールとを更に含み、
受信モジュール４０１は、第二セル又は第二ＢＷＰにおいて、ＣＯＲＥＳＥＴ−ＢＦＲのＱＣＬ情報に基づいて、ビーム障害回復要求応答情報を受信することに用いられる。
【０１４８】
選択的に、送信モジュールは、
ビーム障害回復のためのターゲットビーム基準信号を決定することと、
ターゲットビーム基準信号に対応するターゲットチャネルリソースを用いて、ＢＦＲＱを送信することに更に用いられる。
【０１４９】
選択的に、送信モジュールは、
ビーム障害回復のためのターゲットビーム基準信号を決定することと、
予め設定されたターゲットチャネルリソースを用いて、ＢＦＲＱを送信することであって、ＢＦＲＱには、ターゲットビーム基準信号の識別子情報が含まれている、送信することに更に用いられる。
【０１５０】
選択的に、ターゲットチャネルリソースは、セミパーシステントＰＵＳＣＨである。
【０１５１】
選択的に、ターゲットチャネルリソースは、セミパーシステントＰＵＳＣＨと、ＰＲＡＣＨと、ＰＵＣＣＨとのうち、少なくとも２種を含み、送信モジュールは、
少なくとも２種のターゲットチャネルリソースのうち、送信優先度が第一プリセット条件を満たすターゲットチャネルリソースを用いて、ＢＦＲＱを送信することと、
少なくとも２種のターゲットチャネルリソースのうち、送信時刻が第二プリセット条件を満たすターゲットチャネルリソースを用いて、ＢＦＲＱを送信することと、
少なくとも２種のターゲットチャネルリソースのうち、ペイロードサイズが第三プリセット条件を満たすターゲットチャネルリソースを用いて、ＢＦＲＱを送信することと、
少なくとも２種のターゲットチャネルリソースの各々を用いて、ＢＦＲＱをそれぞれ送信することに更に用いられる。
【０１５２】
選択的に、ＣＯＲＥＳＥＴ−ＢＦＲの設定情報は、ＣＯＲＥＳＥＴ−ＢＦＲのＴＣＩ  ｓｔａｔｅを更に含む。
【０１５３】
選択的に、決定モジュールは、
ＣＯＲＥＳＥＴ−ＢＦＲのＴＣＩ  ｓｔａｔｅに基づいて、ＣＯＲＥＳＥＴ−ＢＦＲのＱＣＬ情報を決定することに更に用いられる。
【０１５４】
選択的に、決定モジュールは、
ターゲットビーム基準信号のＱＣＬ情報を、ＣＯＲＥＳＥＴ−ＢＦＲのＱＣＬ情報として決定することに更に用いられる。
【０１５５】
選択的に、受信モジュール４０１は、
第二セル又は第二ＢＷＰにおいて、ＣＯＲＥＳＥＴ−ＢＦＲのＱＣＬ情報に基づいて、ターゲット時間ウィンドウ内で、ＣＯＲＥＳＥＴ−ＢＦＲにおける専用のＰＤＣＣＨに付帯されているビーム障害回復要求応答情報を受信することに更に用いられる。
【０１５６】
選択的に、端末機器４００は、
ターゲット時間ウィンドウ外で、ビーム障害イベントが発生した第一セル又は第一ＢＷＰに切り替えるための切り替えモジュールと、
第一セルに設定されたＣＯＲＥＳＥＴを監視するか、或いは、第一ＢＷＰに設定されたＣＯＲＥＳＥＴを監視するための監視モジュールとを更に含む。
【０１５７】
選択的に、上位層シグナリングは、
ＲＲＣシグナリングと、ＭＡＣ  ＣＥシグナリングとのうち、少なくとも１種を含む。
【０１５８】
本開示の実施例による端末機器４００は、図２の方法実施例において端末機器によって実現された各プロセスを実現できるが、重複を回避するため、ここで繰り返して説明しない。
【０１５９】
図５は、本開示の実施例によるネットワーク側機器の構造模式図である。図５に示すネットワーク側機器５００は、
端末機器に設定されたＣＯＲＥＳＥＴ−ＢＦＲの設定情報が含まれている上位層シグナリングを送信するための送信モジュール５０１を含み、
ＣＯＲＥＳＥＴ−ＢＦＲの設定情報は、
ＣＯＲＥＳＥＴ−ＢＦＲが位置するセルのｃｅｌｌ  ｉｎｄｅｘと、ＣＯＲＥＳＥＴ−ＢＦＲが位置するＢＷＰのＢＷＰ  ｉｎｄｅｘとのうち、少なくとも１種を含む。
【０１６０】
選択的に、ネットワーク側機器５００は、
端末機器から送信されたＢＦＲＱを受信するための受信モジュールと、
ＣＯＲＥＳＥＴ−ＢＦＲのＱＣＬ情報を決定するための決定モジュールと、をさらに含み、
前記送信モジュール５０１は、ｃｅｌｌ  ｉｎｄｅｘに対応する第二セル、又は、ＢＷＰ  ｉｎｄｅｘに対応する第二ＢＷＰにおいて、ＣＯＲＥＳＥＴ−ＢＦＲのＱＣＬ情報に基づいて、ビーム障害回復要求応答情報を送信することにさらに用いられる。
【０１６１】
選択的に、受信モジュールは、
ターゲットビーム基準信号に対応するチャネルリソースであるターゲットチャネルリソースを用いて、ＢＦＲＱを受信することに更に用いられる。
【０１６２】
選択的に、受信モジュールは、
予め設定されたターゲットチャネルリソースを用いて、ＢＦＲＱを受信することであって、ＢＦＲＱには、ターゲットビーム基準信号の識別子情報が含まれている、受信することに更に用いられる。
【０１６３】
選択的に、ターゲットチャネルリソースは、セミパーシステントＰＵＳＣＨである。
【０１６４】
選択的に、ターゲットチャネルリソースは、セミパーシステントＰＵＳＣＨと、ＰＲＡＣＨと、ＰＵＣＣＨとのうち、少なくとも２種を含み、受信モジュールは、
少なくとも２種のターゲットチャネルリソースのうち、受信優先度が第一プリセット条件を満たすターゲットチャネルリソースを用いて、ＢＦＲＱを受信することと、
少なくとも２種のターゲットチャネルリソースのうち、受信時刻が第二プリセット条件を満たすターゲットチャネルリソースを用いて、ＢＦＲＱを受信することと、
少なくとも２種のターゲットチャネルリソースのうち、ペイロードサイズが第三プリセット条件を満たすターゲットチャネルリソースを用いて、ＢＦＲＱを受信することと、
少なくとも２種のターゲットチャネルリソースの各々を用いて、ＢＦＲＱをそれぞれ受信することに更に用いられる。
【０１６５】
選択的に、ＣＯＲＥＳＥＴ−ＢＦＲの設定情報は、ＣＯＲＥＳＥＴ−ＢＦＲのＴＣＩ  ｓｔａｔｅを更に含む。
【０１６６】
選択的に、決定モジュールは、
ＣＯＲＥＳＥＴ−ＢＦＲのＴＣＩ  ｓｔａｔｅに基づいて、ＣＯＲＥＳＥＴ−ＢＦＲのＱＣＬ情報を決定することに更に用いられる。
【０１６７】
選択的に、決定モジュールは、
ターゲットビーム基準信号のＱＣＬ情報を、ＣＯＲＥＳＥＴ−ＢＦＲのＱＣＬ情報として決定することに更に用いられる。
【０１６８】
選択的に、送信モジュール５０１は、
第二セル又は第二ＢＷＰにおいて、ＣＯＲＥＳＥＴ−ＢＦＲのＱＣＬ情報に基づいて、ターゲット時間ウィンドウ内で、ＣＯＲＥＳＥＴ−ＢＦＲにおける専用のＰＤＣＣＨを用いて、ビーム障害回復要求応答情報を送信することに更に用いられる。
【０１６９】
選択的に、上位層シグナリングは、
ＲＲＣシグナリングと、ＭＡＣ  ＣＥシグナリングとのうち、少なくとも１種を含む。
【０１７０】
本開示の実施例によるネットワーク側機器５００は、図３の方法実施例においてネットワーク側機器により実現された各プロセスを実現できるが、重複を回避するため、ここで繰り返して説明しない。
【０１７１】
図６は、本開示の実施例による端末機器の他の構造模式図である。図６に示す端末機器６００は、少なくとも１つのプロセッサ６０１と、メモリ６０２と、少なくとも１つのネットワークインターフェース６０４と、ユーザインターフェース６０３とを含む。端末機器６００内の各コンポーネントは、バスシステム６０５を介して結合されている。なお、バスシステム６０５は、これらのコンポーネントの間の接続通信を実現するために用いられることが理解され得る。バスシステム６０５は、データバスに加え、電源バス、制御バス及び状態信号バスを含むが、説明を明確にするために、図６では、各種のバスを全てバスシステム６０５として示している。
【０１７２】
そのうち、ユーザインターフェース６０３は、ディスプレイ、キーボード又はポインティングデバイス（例えば、マウス、トラックボール（ｔｒａｃｋｂａｌｌ）、タッチパネル又はタッチスクリーン等）を含んでもよい。
【０１７３】
理解できるように、本開示の実施例におけるメモリ６０２は、揮発性メモリ又は不揮発性メモリであってもよく、或いは、揮発性と不揮発性メモリとの両方を含んでもよい。そのうち、不揮発性メモリは、ＲＯＭ（Ｒｅａｄ−Ｏｎｌｙ  Ｍｅｍｏｒｙ）、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、ＥＥＰＲＯＭ（Ｅｌｅｃｔｒｉｃａｌｌｙ  ＥＰＲＯＭ）、又は、フラッシュメモリであってもよい。揮発性メモリは、ＲＡＭ（Ｒａｎｄｏｍ  Ａｃｃｅｓｓ  Ｍｅｍｏｒｙ）であってもよく、外部高速キャッシュとして用いられる。例示的に説明すると、例えばＳＲＡＭ（Ｓｔａｔｉｃ  ＲＡＭ）、ＤＲＡＭ（Ｄｙｎａｍｉｃ  ＲＡＭ）、ＳＤＲＡＭ（Ｓｙｎｃｈｒｏｎｏｕｓ  ＤＲＡＭ）、ＤＤＲＳＤＲＡＭ（Ｄｏｕｂｌｅ  Ｄａｔａ  Ｒａｔｅ  ＳＤＲＡＭ）、ＥＳＤＲＡＭ（Ｅｎｈａｎｃｅｄ  ＳＤＲＡＭ）、ＳＬＤＲＡＭ（Ｓｙｎｃｈ  ｌｉｎｋ  ＤＲＡＭ、）及びＤＲＲＡＭ（Ｄｉｒｅｃｔ  Ｒａｍｂｕｓ  ＲＡＭ）といった様々なＲＡＭが利用可能であるが、これらに限定されない。本開示の実施例に記載のシステム及び方法におけるメモリ６０２は、これら及び任意の他の適合タイプのメモリを含むが、限定されるものではない。
【０１７４】
いくつかの実施形態において、メモリ６０２は、以下の要素を記憶しており、即ち、オペレーティングシステム６０２１、及びアプリケーションプログラム６０２２の実行可能なモジュール又はデータ構造、或いは、それらのサブセット又は拡張セット。
【０１７５】
そのうち、オペレーティングシステム６０２１は、各種の基礎サービス及びハードウェアに基づくタスクを扱うために、例えばフレームワークレイヤ、コアライブラリレイヤ、ドライバレイヤ等の各種のシステムプログラムを含む。アプリケーションプログラム６０２２は、各種のアプリケーションサービスを実現するために、例えばメディアプレーヤ（Ｍｅｄｉａ  Ｐｌａｙｅｒ）、ブラウザ（Ｂｒｏｗｓｅｒ）等の各種のアプリケーションプログラムを含む。本開示の実施例に係る方法を実現するプログラムは、アプリケーションプログラム６０２２に含まれることが可能である。
【０１７６】
本開示の実施例において、端末機器６００は、メモリ６０２に記憶されてプロセッサ６０１上で実行可能なコンピュータプログラムを更に含み、コンピュータプログラムがプロセッサ６０１によって実行されると、
端末機器に設定されたＣＯＲＥＳＥＴ−ＢＦＲの設定情報が含まれている上位層シグナリングを受信するステップであって、ＣＯＲＥＳＥＴ−ＢＦＲの設定情報は、ＣＯＲＥＳＥＴ−ＢＦＲが位置するセルのｃｅｌｌ  ｉｎｄｅｘと、ＣＯＲＥＳＥＴ−ＢＦＲが位置するＢＷＰのＢＷＰ  ｉｎｄｅｘとのうち、少なくとも１種を含む受信するステップが実現される。
【０１７７】
本開示の上記実施例に開示の方法は、プロセッサ６０１に適用されるか、あるいは、プロセッサ６０１によって実現され得る。プロセッサ６０１は、信号の処理能力を有する集積回路チップであってもよい。実現中において、上記方法の各ステップは、プロセッサ６０１内のハードウェアである集積ロジック回路又はソフトウェア形式のコマンドによって完成可能である。上記のプロセッサ６０１は、汎用プロセッサ、ＤＳＰ（Ｄｉｇｉｔａｌ  Ｓｉｇｎａｌ  Ｐｒｏｃｅｓｓｏｒ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）又は、他のプログラマブルロジックデバイス、ディスクリートゲート又はトランジスタロジックデバイス、ディスクリートハードウェアコンポーネントであってもよく、本開示の実施例に開示の各方法、ステップ及びロジックブロック図を実現又は実行可能である。汎用プロセッサは、マイクロプロセッサや、いかなる常用的なプロセッサ等であってもよい。本開示の実施例に開示の方法のステップとの結合は、直接具現化として、ハードウェアデコーダプロセッサによる実行で完成されてもよいし、或いは、デコーダプロセッサ内のハードウェア及びソフトウェアモジュールの組み合わせによる実行で完成されてもよい。ソフトウェアモジュールは、ランダムメモリ、フラッシュメモリ、読み取り専用メモリ、プログラマブル読み取り専用メモリや、電気的に消去可能なプログラマブルメモリ、レジスタ等の当分野において成熟されているコンピュータ読取可能な記憶媒体内に位置することが可能である。当該コンピュータ読取可能な記憶媒体は、メモリ６０２にあり、プロセッサ６０１は、メモリ６０２内の情報を読み取り、そのハードウェアと結合して、上記方法のステップを完成する。具体的に、当該コンピュータ読取可能な記憶媒体にコンピュータプログラムが記憶されており、コンピュータプログラムがプロセッサ６０１によって実行されると、図２のような方法実施例の各ステップが実現される。
【０１７８】
理解できるように、本開示の実施例に記載のこれらの実施例は、ハードウェア、ソフトウェア、ファームウェア、ミドルウェア、マイクロコード、又は、その組み合わせによって実現可能である。ハードウェアによる実現について、プロセスユニットは、１つ又は複数のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰ（Ｄｉｇｉｔａｌ  Ｓｉｇｎａｌ  Ｐｒｏｃｅｓｓｉｎｇ）、ＤＳＰＤ（ＤＳＰ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、汎用プロセッサ、コントローラ、マイクロコントローラ、マイクロプロセッサ、本開示の前記機能を実行するための他の電子ユニット又はその組み合わせの中に実現可能である。
【０１７９】
ソフトウェアによる実現について、本開示の実施例の前記機能を実行するモジュール（例えばプロセス、関数等）によって、本開示の実施例に記載の技術を実現することが可能である。ソフトウェアコードは、メモリに記憶されてプロセッサによって実行され得る。メモリは、プロセッサの内部、又は、プロセッサの外部で実現可能である。
【０１８０】
端末機器６００は、前述した図２の方法実施例における端末機器によって実現された各プロセスを実現できるが、重複を回避するために、ここで繰り返して説明しない。
【０１８１】
本開示の実施例は、コンピュータプログラムを記憶したコンピュータ読取可能な記憶媒体を更に提供しており、当該コンピュータプログラムがプロセッサによって実行されると、上記の図２の方法実施例の各プロセスが実現され、且つ同じ技術的効果を達成できるが、重複を回避するために、ここで繰り返して説明しない。そのうち、前記コンピュータ読取可能な記憶媒体は、例えばＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスク等である。
【０１８２】
図７は、本開示の実施例によるネットワーク側機器の他の構造模式図である。図７に示すネットワーク側機器７００は、図３の方法実施例の詳細を実現して、同じ効果を達成することができる。図７に示すように、ネットワーク側機器７００は、プロセッサ７０１、送受信機７０２、メモリ７０３、ユーザインターフェース７０４及びバスインターフェースを含む。
【０１８３】
本開示の実施例において、ネットワーク側機器７００は、メモリ７０３に記憶されてプロセッサ７０１上で実行可能なコンピュータプログラムを更に含み、コンピュータプログラムがプロセッサ７０１によって実行されると、
端末機器に設定されたＣＯＲＥＳＥＴ−ＢＦＲの設定情報が含まれている上位層シグナリングを送信するステップであって、ＣＯＲＥＳＥＴ−ＢＦＲの設定情報は、ＣＯＲＥＳＥＴ−ＢＦＲが位置するセルのｃｅｌｌ  ｉｎｄｅｘと、ＣＯＲＥＳＥＴ−ＢＦＲが位置するＢＷＰのＢＷＰ  ｉｎｄｅｘとのうち、少なくとも１種を含むステップが実現される。
【０１８４】
図７において、バスアーキテクチャは、任意数の相互接続されたバス及びブリッジを含んでもよく、具体的には、プロセッサ７０１をはじめとした１つ又は複数のプロセッサと、メモリ７０３をはじめとしたメモリとの各種回路が繋げられている。バスアーキテクチャは、周辺デバイス、電圧レギュレータや電力管理回路等の様々な他の回路を互いに繋げることも可能であるが、これらは、当分野において公知されているため、本明細書において、さらなる説明をしない。バスインターフェースは、インターフェースを提供するものである。送受信機７０２は、複数の素子、即ち送信機及び受信機を含んでもよく、伝送媒体にて様々な他の装置と通信するためのユニットを提供するものである。様々なユーザ機器に対して、ユーザインターフェース７０４は、必要なデバイスを外部又は内部で接続可能なインターフェースであってもよく、接続されるデバイスは、小型キーボード、ディスプレイ、スピーカ、マイク、ジョイスティック等を含むが、これらに限定されない。
【０１８５】
プロセッサ７０１は、バスアーキテクチャ及び一般的な処理の管理を担っており、メモリ７０３は、プロセッサ７０１による実行操作時に用いられるデータを記憶可能である。
【０１８６】
ネットワーク側機器７００は、前述した図３の方法実施例においてネットワーク側機器によって実現された各プロセスを実現できるが、重複を回避するために、ここで繰り返して説明しない。
【０１８７】
本開示の実施例は、コンピュータプログラムを記憶したコンピュータ読取可能な記憶媒体を更に提供しており、当該コンピュータプログラムがプロセッサによって実行されると、上記の図３の方法実施例の各プロセスが実現され、且つ同じ技術的効果を達成できるが、重複を回避するために、ここで繰り返して説明しない。そのうち、前記コンピュータ読取可能な記憶媒体は、例えばＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスク等である。
【０１８８】
説明すべきなのは、本明細書において、用語「含む」、「包含」又は他の任意の変体は、非排他的に含み、一連の要素を含むプロセス、方法、物又は装置は、これらの要素を含むことだけではなく、明示的に列挙されていない他の要素、又はこのプロセス、方法、物若しくは装置の固有の要素を含む。さらなる制限がない限り、用語「１つの…を含む」より限定された要素は、該要素を含むプロセス、方法、物又は装置に他の同一の要素が存在することを排除しない。
【０１８９】
上記の実施形態に対する説明から、当業者は、、ソフトウェアに、必要な汎用ハードウェアプラットフォームを加えるという方式で、本発明上記の実施例の方法が実現可能であると明確に分かることができ、勿論、ハードウェアによっても実現可能であるが、多くの場合は、前者は、より好適な実施形態となる。このような理解に基づいて、本発明の技術案の本質的部分、あるいは関連技術に対する貢献をもたらす部分は、ソフトウェア製品の形で具現化することができ、当該コンピュータソフトウェア製品は、記憶媒体（如ＲＯＭ／ＲＡＭ、磁気ディスク、光ディスク）に記憶され、一台の端末（携帯電話、コンピュータ、サーバ、エアコンやネットワークデバイス等であり得る）が本開示の各実施例に記載の方法を実行可能にするためのいくつかのコマンドを含む。
【０１９０】
以上、図面を参照して本開示の実施例を説明したが、本開示は、上記の具体的な実施形態に限定されず、上記の具体的な実施形態は、あくまでも例示的なもので、限定的なものではない。当業者は、本開示の示唆の下で、本開示の主旨及び請求項の保護範囲から逸脱することなく、多数の形態を作り出すことができ、それは、全て本開示の保護範囲に含まれるものとする。
【符号の説明】
【０１９１】
１１  ユーザ端末
１２  基地局
４００  端末機器
４０１  受信モジュール
５００  ネットワーク側機器
５０１  送信モジュール
６００  端末機器
６０１  プロセッサ
６０２  メモリ
６０２１  オペレーティングシステム
６０２２  アプリケーションプログラム
６０３  ユーザインターフェース
６０４  ネットワークインターフェース
６０５  バスシステム
７００  ネットワーク側機器
７０１  プロセッサ
７０２  送受信機
７０３  メモリ
７０４  ユーザインターフェース
【図１】
2021531691.tif 000003
【図２】
2021531691.tif 000004
【図３】
2021531691.tif 000005
【図４】
2021531691.tif 000006
【図５】
2021531691.tif 000007
【図６】
2021531691.tif 000008
【図７】
2021531691.tif 000009
【手続補正書】
【提出日】令和3年1月15日(2021.1.15)
【手続補正１】
【補正対象書類名】特許請求の範囲
【補正対象項目名】全文
【補正方法】変更
【補正の内容】
【特許請求の範囲】
【請求項１】
端末機器に適用されるビーム障害回復のための方法であって、
前記端末機器に設定されたビーム障害回復のためのＣＯＲＥＳＥＴ−ＢＦＲ（Ｃｏｎｔｒｏｌ  Ｒｅｓｏｕｒｃｅ  Ｓｅｔ  Ｂｅａｍ  Ｆａｉｌｕｒｅ  Ｒｅｃｏｖｅｒｙ）の設定情報が含まれている上位層シグナリングを受信することを含み、
前記ＣＯＲＥＳＥＴ−ＢＦＲの設定情報は、
前記ＣＯＲＥＳＥＴ−ＢＦＲが位置するセルのセル識別子ｃｅｌｌ  ｉｎｄｅｘと、前記ＣＯＲＥＳＥＴ−ＢＦＲが位置するＢＷＰ（Ｂａｎｄｗｉｄｔｈ  ｐａｒｔ）のＢＷＰ識別子ＢＷＰ  ｉｎｄｅｘとのうち、少なくとも１種を含む、ビーム障害回復のための方法。
【請求項２】
前記端末機器が、第一セル又は第一ＢＷＰにビーム障害イベントが発生したのを決定すると、ＢＦＲＱ（Ｂｅａｍ  Ｆａｉｌｕｒｅ  Ｒｅｃｏｖｅｒｙ  Ｒｅｑｕｅｓｔ）を送信することと、
前記ｃｅｌｌ  ｉｎｄｅｘに対応する第二セル、又は、前記ＢＷＰ  ｉｎｄｅｘに対応する第二ＢＷＰに切り替えることであって、前記第一セルと前記第二セルとは、異なるセルであり、前記第一ＢＷＰと前記第二ＢＷＰとは、異なるＢＷＰである、切り替えることと、
前記ＣＯＲＥＳＥＴ−ＢＦＲのＱＣＬ（Ｑｕａｓｉ−ｃｏｌｏｃａｔｉｏｎ）情報を決定することと、
前記第二セル又は前記第二ＢＷＰにおいて、前記ＣＯＲＥＳＥＴ−ＢＦＲのＱＣＬ情報に基づいて、ビーム障害回復要求応答情報を受信することとを更に含む、請求項１に記載の方法。
【請求項３】
前記端末機器が、第一セル又は第一ＢＷＰにビーム障害イベントが発生したのを決定すると、ＢＦＲＱを送信することは、
ビーム障害回復のためのターゲットビーム基準信号を決定することと、
予め設定されたターゲットチャネルリソースを用いて、前記ＢＦＲＱを送信することであって、前記ＢＦＲＱには、前記ターゲットビーム基準信号の識別子情報が含まれている、送信することとを含む、請求項２に記載の方法。
【請求項４】
前記ＣＯＲＥＳＥＴ−ＢＦＲの設定情報は、前記ＣＯＲＥＳＥＴ−ＢＦＲの伝送設定指示状態ＴＣＩ  ｓｔａｔｅ（Ｔｒａｎｓｍｉｓｓｉｏｎ  Ｃｏｎｆｉｇｕｒａｔｉｏｎ  Ｉｎｄｉｃａｔｉｏｎ  ｓｔａｔｅ）を更に含む、請求項２に記載の方法。
【請求項５】
前記ＣＯＲＥＳＥＴ−ＢＦＲのＱＣＬ情報を決定することは、
前記ＣＯＲＥＳＥＴ−ＢＦＲのＴＣＩ  ｓｔａｔｅに基づいて、前記ＣＯＲＥＳＥＴ−ＢＦＲのＱＣＬ情報を決定することを含む、請求項４に記載の方法。
【請求項６】
ネットワーク側機器に適用されるビーム障害回復のための方法であって、
端末機器に設定されたＣＯＲＥＳＥＴ−ＢＦＲの設定情報が含まれている上位層シグナリングを送信することを含み、
前記ＣＯＲＥＳＥＴ−ＢＦＲの設定情報は、
前記ＣＯＲＥＳＥＴ−ＢＦＲが位置するセルのｃｅｌｌ  ｉｎｄｅｘと、前記ＣＯＲＥＳＥＴ−ＢＦＲが位置するＢＷＰのＢＷＰ  ｉｎｄｅｘとのうち、少なくとも１種を含む、ビーム障害回復のための方法。
【請求項７】
端末機器であって、
前記端末機器に設定されたＣＯＲＥＳＥＴ−ＢＦＲの設定情報が含まれている上位層シグナリングを受信するための受信モジュールを含み、
前記ＣＯＲＥＳＥＴ−ＢＦＲの設定情報は、
前記ＣＯＲＥＳＥＴ−ＢＦＲが位置するセルのｃｅｌｌ  ｉｎｄｅｘと、前記ＣＯＲＥＳＥＴ−ＢＦＲが位置するＢＷＰのＢＷＰ  ｉｎｄｅｘとのうち、少なくとも１種を含む、端末機器。
【請求項８】
前記端末機器が、第一セル又は第一ＢＷＰにビーム障害イベントが発生したのを決定すると、ＢＦＲＱを送信するための送信モジュールと、
前記ｃｅｌｌ  ｉｎｄｅｘに対応する第二セル、又は、前記ＢＷＰ  ｉｎｄｅｘに対応する第二ＢＷＰに切り替えることであって、前記第一セルと前記第二セルとは、異なるセルであり、前記第一ＢＷＰと前記第二ＢＷＰとは、異なるＢＷＰである、切り替えるための切り替えモジュールと、
前記ＣＯＲＥＳＥＴ−ＢＦＲのＱＣＬ情報を決定するための決定モジュールと、を含み、
前記受信モジュールは、前記第二セル又は前記第二ＢＷＰにおいて、ＣＯＲＥＳＥＴ−ＢＦＲのＱＣＬ情報に基づいて、ビーム障害回復要求応答情報を受信することにさらに用いられる、請求項７に記載の端末機器。
【請求項９】
前記送信モジュールは、
ビーム障害回復のためのターゲットビーム基準信号を決定することと、
予め設定されたターゲットチャネルリソースを用いて、前記ＢＦＲＱを送信することであって、前記ＢＦＲＱには、前記ターゲットビーム基準信号の識別子情報が含まれている、送信することに更に用いられる、請求項８に記載の端末機器。
【請求項１０】
前記ＣＯＲＥＳＥＴ−ＢＦＲの設定情報は、前記ＣＯＲＥＳＥＴ−ＢＦＲの伝送設定指示状態ＴＣＩ  ｓｔａｔｅを更に含む、請求項８に記載の端末機器。
【請求項１１】
前記決定モジュールは、
前記ＣＯＲＥＳＥＴ−ＢＦＲのＴＣＩ  ｓｔａｔｅに基づいて、前記ＣＯＲＥＳＥＴ−ＢＦＲのＱＣＬ情報を決定することにさらに用いられる、請求項１０に記載の端末機器。
【請求項１２】
端末機器に設定されたＣＯＲＥＳＥＴ−ＢＦＲの設定情報が含まれている上位層シグナリングを送信するための送信モジュールを含み、
前記ＣＯＲＥＳＥＴ−ＢＦＲの設定情報は、
前記ＣＯＲＥＳＥＴ−ＢＦＲが位置するセルのｃｅｌｌ  ｉｎｄｅｘと、前記ＣＯＲＥＳＥＴ−ＢＦＲが位置するＢＷＰのＢＷＰ  ｉｎｄｅｘとのうち、少なくとも１種を含む、ネットワーク側機器。
【請求項１３】
前記端末機器から送信されたＢＦＲＱを受信するための受信モジュールと、
前記ＣＯＲＥＳＥＴ−ＢＦＲのＱＣＬ情報を決定するための決定モジュールと、をさらに含み、
前記送信モジュールは、前記ｃｅｌｌ  ｉｎｄｅｘに対応する第二セル、又は、前記ＢＷＰ  ｉｎｄｅｘに対応する第二ＢＷＰにおいて、前記ＣＯＲＥＳＥＴ−ＢＦＲのＱＣＬ情報に基づいて、ビーム障害回復要求応答情報を送信することにさらに用いられる、請求項１２に記載のネットワーク側機器。
【請求項１４】
前記受信モジュールは、
予め設定されたターゲットチャネルリソースを用いて、前記ＢＦＲＱを受信することであって、前記ＢＦＲＱには、ターゲットビーム基準信号の識別子情報が含まれている、受信することにさらに用いられる、請求項１３に記載のネットワーク側機器。
【請求項１５】
前記ＣＯＲＥＳＥＴ−ＢＦＲの設定情報は、前記ＣＯＲＥＳＥＴ−ＢＦＲのＴＣＩ  ｓｔａｔｅを更に含み、
ここで、前記決定モジュールは、前記ＣＯＲＥＳＥＴ−ＢＦＲのＴＣＩ  ｓｔａｔｅに基づいて、前記ＣＯＲＥＳＥＴ−ＢＦＲのＱＣＬ情報を決定することにさらに用いられる、請求項１３に記載のネットワーク側機器。
【手続補正２】
【補正対象書類名】明細書
【補正対象項目名】００１１
【補正方法】変更
【補正の内容】
【００１１】
第七局面において、本開示の実施例は、プロセッサと、メモリと、前記メモリに記憶されて前記プロセッサ上で実行可能なコンピュータプログラムとを含み、前記コンピュータプログラムが前記プロセッサによって実行されると、第二局面に記載のビーム障害回復のための方法が実現される、ネットワーク側機器を更に提供している。
【手続補正３】
【補正対象書類名】明細書
【補正対象項目名】０１３７
【補正方法】変更
【補正の内容】
【０１３７】
例えば、端末機器にネットワーク側機器によって設定されたＣＯＲＥＳＥＴ−ＢＦＲのＴＣＩ  ｓｔａｔｅにより指示されるＳｏｕｒｃｅ  ＲＳが、あるＣＳＩ−ＲＳ  ｒｅｓｏｕｒｃｅであれば、ネットワーク側機器は、当該ＣＳＩ−ＲＳ  ｒｅｓｏｕｒｃｅとＣＯＲＥＳＥＴ−ＢＦＲがＱＣＬのものであると決定できる。
【国際調査報告】
2021531691.tif 000010
2021531691.tif 000011
2021531691.tif 000012
2021531691.tif 000013